(57)【特許請求の範囲】
【請求項１】
保育の担当者によって利用される担当者端末装置であって、
撮像装置により保育の場面を撮影することにより保育画像を生成すると共に、前記保育画像に対応する担当者見解情報を生成する生成部と、
前記保育画像と前記担当者見解情報をサーバに送信すると共に、前記保育画像に対応する統合情報を前記サーバに処理形成させるサーバ処理起動部と、
前記サーバから前記サーバ内への前記保育画像の記憶が完了した旨の記憶完了確認を受信すると共に、前記保育画像と当該保育画像に対応する前記統合情報を取得する取得部と、
前記保育画像と当該保育画像に対応する前記統合情報とを前記担当者に提示する出力部と、
撮影した前記保育画像を蓄積記憶し、受信した前記記憶完了確認に基づき前記保育画像を消去する端末側記憶部と、
を備え、
前記統合情報は、前記担当者見解情報と他担当者によって利用される他端末装置から得られる他担当者見解情報とを統合することにより得られ、
前記担当者見解情報及び前記他担当者見解情報は、発達の視点に基づいて定められた複数の項目の中から選択されることを特徴とする担当者端末装置。
【請求項２】
前記発達の視点は、保育所保育指針と幼稚園教育要領と幼稚園連携型認定こども園教育・保育要領とに於ける発達の視点である、請求項１に記載の担当者端末装置。
【請求項３】
前記統合情報は、前記項目毎に、前記担当者又は前記他担当者により選択された回数の積算値を示す、請求項１又は２に記載の担当者端末装置。
【請求項４】
前記統合情報は、各担当者と選択された前記項目との対応関係を示す、請求項１又は２に記載の担当者端末装置。
【請求項５】
前記複数の項目は、健康な心と体、自立心、協調性、道徳性・規範意識の芽生え、社会生活との関わり、思考力の芽生え、自然との関わり・生命の尊重、数量・図形・文字等への関心・感覚、言葉による伝え合い及び豊かな感性と表現を含む第１項目群と、健康、人間関係、環境、言葉及び表現を含む第２項目群と、身体的発達、社会的発達及び精神的発達を含む第３項目群と、のうちの少なくとも１つを含む、請求項１乃至４のいずれか１項に記載の担当者端末装置。
【請求項６】
保育の担当者によって利用される担当者端末装置及び他担当者によって利用される他端末装置と通信可能に構成されたサーバであって、
前記担当者端末装置から、前記保育の場面を示す保育画像と前記保育画像に対応する担当者見解情報とを受信する受信部と、
前記受信した保育画像及び担当者見解情報を対応付けて記憶する記憶部と、
統合情報を生成する生成部と、
前記統合情報を前記担当者端末装置に送信する送信部と、
を備え、
前記受信部は、前記他端末装置から、前記記憶された保育画像についての他担当者見解情報を受信し、
前記記憶部は、前記他担当者見解情報を前記記憶された保育画像にさらに対応付けて記憶し、
前記生成部は、前記保育画像に対応付けられた前記担当者見解情報及び前記他担当者見解情報を統合することにより前記統合情報を生成し、
前記担当者見解情報及び前記他担当者見解情報は、発達の視点に基づいて定められた複数の項目の内容についての評価結果を見解として含むことを特徴とするサーバ。
【請求項７】
前記発達の視点は、保育所保育指針と幼稚園教育要領と幼稚園連携型認定こども園教育・保育要領とに於ける発達の視点である、請求項６に記載のサーバ。
【請求項８】
前記統合情報は、前記項目毎に、前記担当者又は前記他担当者により選択された回数の積算値を示す、請求項６又は７に記載のサーバ。
【請求項９】
前記統合情報は、前記担当者毎に、各担当者と選択された前記項目との対応関係を示す、請求項６又は７に記載のサーバ。
【請求項１０】
前記複数の項目は、健康な心と体、自立心、協調性、道徳性・規範意識の芽生え、社会生活との関わり、思考力の芽生え、自然との関わり・生命の尊重、数量・図形・文字等への関心・感覚、言葉による伝え合い及び豊かな感性と表現を含む第１項目群と、健康、人間関係、環境、言葉及び表現を含む第２項目群と、身体的発達、社会的発達及び精神的発達を含む第３項目群と、のうちの少なくとも１つを含む、請求項６乃至９のいずれか１項に記載のサーバ。
【請求項１１】
保育の担当者によって利用される担当者端末装置に用いられるプログラムであって、前記担当者端末装置に、
保育の場面を示す保育画像を撮影して端末側記憶部に一旦記憶するステップと、
前記記憶した保育画像を読み出し生成するステップと、
生成した前記保育画像をサーバに転送するステップと、
前記サーバ内への前記保育画像の記憶が完了した旨の記憶完了確認を受信して前記端末側記憶部に記憶された前記保育画像を消去するステップと、
前記サーバから読み出された保育画像に対応する担当者見解情報を生成して前記サーバに転送するステップと、
前記保育画像と共に当該保育画像に対応する担当者見解情報と他担当者によって利用される他端末装置から得られる他担当者見解情報を統合させて成る統合情報を前記サーバから取得するステップと、
前記保育画像と共に対応する当該統合情報を前記担当者に提示するステップと、
を実行させるためのプログラムであり、
前記担当者見解情報及び前記他担当者見解情報は、発達の視点に基づいて定められた複数の項目の内容についての評価結果を見解として含むことを特徴とするプログラム。
【請求項１２】
保育の担当者によって利用される担当者端末装置及び他担当者によって利用される他端末装置と通信可能に構成されたサーバに用いられるプログラムであって、前記サーバに、
前記担当者端末装置から、前記保育の場面を示す保育画像と前記保育画像に対応する担当者見解情報とを受信するステップと、
前記受信した保育画像及び担当者見解情報を対応付けて記憶するステップと、
前記他端末装置から、前記記憶された保育画像についての他担当者見解情報を受信するステップと、
前記他担当者見解情報を前記記憶された保育画像にさらに対応付けて記憶するステップと、
前記保育画像に対応付けられた前記担当者見解情報及び前記他担当者見解情報を統合することにより統合情報を生成するステップと、
前記統合情報を前記担当者端末装置に送信するステップと、
を実行させ、
前記担当者見解情報及び前記他担当者見解情報は、発達の視点に基づいて定められた複数の項目の内容についての評価結果を見解として含むことを特徴とするプログラム。
【請求項１３】
保育の担当者によって利用される担当者端末装置に用いられる方法であって、
保育の場面を示す保育画像を撮影して端末側記憶部に一旦記憶するステップと、
前記記憶した保育画像を読み出し生成するステップと、
生成した前記保育画像をサーバに転送するステップと、
前記サーバ内への前記保育画像の記憶が完了した旨の記憶完了確認を受信して前記端末側記憶部に記憶された前記保育画像を消去するステップと、
前記サーバから読み出された保育画像に対応する担当者見解情報を生成して前記サーバに転送するステップと、
前記保育画像と共に当該保育画像に対応する担当者見解情報と他担当者によって利用される他端末装置から得られる他担当者見解情報を統合させて成る統合情報を前記サーバから取得するステップと、
前記保育画像と共に対応する当該統合情報を前記担当者に提示するステップと、
を含み、
前記担当者見解情報及び前記他担当者見解情報は、発達の視点に基づいて定められた複数の項目の内容についての評価結果を見解として含むことを特徴とする方法。
【請求項１４】
保育の担当者によって利用される担当者端末装置及び他担当者によって利用される他端末装置と通信可能に構成されたサーバに用いられる方法であって、
前記担当者端末装置から、前記保育の場面を示す保育画像と前記保育画像に対応する担当者見解情報とを受信するステップと、
前記受信した保育画像及び担当者見解情報を対応付けて記憶するステップと、
前記他端末装置から、前記記憶された保育画像についての他担当者見解情報を受信するステップと、
前記他担当者見解情報を前記記憶された保育画像にさらに対応付けて記憶するステップと、
前記保育画像に対応付けられた前記担当者見解情報及び前記他担当者見解情報を統合することにより統合情報を生成するステップと、
前記統合情報を前記担当者端末装置に送信するステップと、
を含み、
前記担当者見解情報及び前記他担当者見解情報は、発達の視点に基づいて定められた複数の項目の内容についての評価結果を見解として含むことを特徴とする方法。
【発明の詳細な説明】
【技術分野】
【０００１】
本発明は、保育所等の未就学児の保育施設におけるお便りの電子作成システムに採用した好適な端末装置、サーバ、方法及びプログラムに関する。
【背景技術】
【０００２】
従来、幼稚園や保育園等の教育・保育機関における様々な業務の効率化・省力化を図るためのシステムが導入される（例えば、特許文献１参照）。特許文献１に記載の技術では、保育園等に設置され先生などの利用者が利用する端末装置と管理サーバとによって構築されたクライアント管理サーバシステムを用いて、保育計画の効率化・省力化が図られる。
【先行技術文献】
【特許文献】
【０００３】
【特許文献１】特開２００５−９２６３２号公報
【発明の概要】
【発明が解決しようとする課題】
【０００４】
２０１８年４月に国の保育所保育指針等が改定されたが、その方針を保育に反映させることは容易ではない。その理由は、保育業務が多忙であり保育士等が研修する時間がなく、保育士等も不足し学校教員のような研修の機会や場に参加しにくい点等にある。
【０００５】
そのような事情に鑑み、本発明は、ＩＣＴを活用することにより保育業務を効率化することにより勤務時間内に教育研修の時間を確保すると共に、ＩＣＴを利用して保育業務の中で保育指針を学ぶことにより保育の質と保育士等の保育能力を向上させるための新たな手法を提案するものである。
【課題を解決するための手段】
【０００６】
上記課題を解決するために、本発明の一態様は、保育又は教育の担当者によって利用される担当者端末装置であって、前記保育又は教育の場面を示す場面情報と前記場面情報についての見解を示す見解情報とを生成する生成部と、前記場面情報と前記見解情報とをサーバに処理させるサーバ処理起動部と、前記サーバから統合情報を取得する取得部と、前記統合情報を前記担当者に提示する出力部と、を備え、前記サーバ処理起動部は、前記サーバに前記場面情報及び前記見解情報を対応付けて記憶させ、前記サーバが前記担当者以外の者によって利用される他の端末装置から前記記憶された場面情報について前記見解情報を受信した場合、前記受信した見解情報は前記サーバによって前記記憶された場面情報にさらに対応付けられて記憶され、前記統合情報は、前記サーバが前記場面情報に対応付けられた複数の前記見解情報を統合することにより得られ、前記見解情報は、保育所保育指針と幼稚園教育要領と幼稚園連携型認定こども園教育・保育要領とに於ける発達の視点に基づいて定められた複数の項目の内容についての評価結果を前記見解として含むことを特徴とする。
【０００７】
本発明の他の態様は、保育又は教育の担当者によって利用される担当者端末装置及び前記担当者以外の者によって利用される他の端末装置と通信可能に構成されたサーバであって、前記担当者端末装置から、前記保育又は教育の場面を示す場面情報と前記場面情報についての見解を示す見解情報とを受信する受信部と、前記受信した場面情報及び見解情報を対応付けて記憶する記憶部と、統合情報を生成する生成部と、前記統合情報を前記担当者端末装置１０に送信する送信部と、を備え、前記受信部は、前記他の端末装置から、前記記憶された場面情報について前記見解情報を受信し、前記記憶部は、前記他の端末装置から受信した前記見解情報を前記記憶された場面情報にさらに対応付けて記憶し、前記生成部は、前記場面情報に対応付けられた複数の前記見解情報を統合することにより前記統合情報を生成し、前記見解情報は、保育所保育指針と幼稚園教育要領と幼稚園連携型認定こども園教育・保育要領とに於ける発達の視点に基づいて定められた複数の項目の内容についての評価結果を前記見解として含むことを特徴とする。
【０００８】
本発明のさらに他の態様は、保育又は教育の場面を示す場面情報についての見解を示す見解情報をサーバに処理させるサーバ処理起動部と、前記サーバから前記見解情報の主計結果を取得する取得部と、を備え、前記見解情報は、保育所保育指針と幼稚園教育要領と幼稚園連携型認定こども園教育・保育要領とに於ける発達の視点に基づいて定められた複数の項目の内容についての評価結果を前記見解として含み、前記サーバ処理起動部は、前記サーバに対して統計条件を指定することにより、前記サーバに、前記統計条件に該当する前記場面情報の各々についての前記見解情報において、前記項目の内容に対して肯定的な評価（即ち、保育場面情報に該当する項目であるという判断）が得られた回数の前記項目毎の集計結果を出力させることを特徴とする端末装置である。
【０００９】
なお、以上の任意の組み合わせや、本発明の構成要素や表現を方法、装置、プログラム、プログラムを記録した一時的なまたは一時的でない記憶媒体、システムなどの間で相互に置換したものもまた、本発明の態様として有効である。
【発明の効果】
【００１０】
本発明によれば、目的とする保育環境を提供するための客観的な判断基準を提供できるため、保育等の場面に対する評価能力を向上させることが可能となる。
【図面の簡単な説明】
【００１１】
【図１】システムの概略構成図である。
【図２】端末装置１０のハードウェア構成図である。
【図３】端末装置１０の機能構成図である。
【図４】管理サーバ及び共有サーバのハードウェア構成図である。
【図５】管理サーバの機能構成図である。
【図６】お便りを例示する図である。
【図７】本発明を利用した園内研修会の様子を示す図である。
【図８】担当者端末装置又は同僚端末装置の処理のフロー図である。
【図９】撮影・転送モードの処理のフロー図である。
【図１０】撮影画面を例示する図である。
【図１１】画像確認画面を例示する図である。
【図１２】編集画面を例示する図である。
【図１３】消去画面を例示する図である。
【図１４】画像消去後の編集画面を例示する図である。
【図１５】グループ化画面を例示する図である。
【図１６】グループ化が実行された後の編集画面を例示する図である。
【図１７】モード選択画面を例示する図である。
【図１８】付加情報入力モードの処理のフロー図である。
【図１９】強調表示された子画面を含む画面を例示する図である。
【図２０】付加情報入力画面を例示する図である。
【図２１】タイトル・コメント入力画面を例示する図である。
【図２２】お便り作成モードの処理のフロー図である。
【図２３】お便り案画面を例示する図である。
【図２４】お便り一覧画面を例示する図である。
【図２５】台紙候補画面を例示する図である。
【図２６】お便りのプレビュー画面を例示する図である。
【図２７】配置変更画面を例示する図である。
【図２８】担当者見解入力モードの処理のフロー図である。
【図２９】見解入力画面を例示する図である。
【図３０】見解入力画面を例示する図である。
【図３１】同僚見解入力モードの処理のフロー図である。
【図３２】検索メニュー画面を例示する図である。
【図３３】検索閲覧モードの処理のフロー図である。
【図３４】統合情報を例示する図である。
【図３５】統合情報を例示する図である。
【図３６】統合情報を例示する図である。
【図３７】指導要請モードの処理のフロー図である。
【図３８】担当者研修モード及び管理者研修モードの処理のフロー図である。
【図３９】応答確認モードの処理のフロー図である。
【図４０】応答確認モードの処理のフロー図である。
【図４１】応答確認モードの処理のフロー図である。
【図４２】管理者端末装置の処理のフロー図である。
【図４３】アップロード確認モードの処理のフロー図である。
【図４４】お便り案承認モードの処理のフロー図である。
【図４５】管理者見解入力モードの処理のフロー図である。
【図４６】指導コメント閲覧モードの処理のフロー図である。
【図４７】共有化判定モードの処理のフロー図である。
【図４８】管理者閲覧入力モードの処理のフロー図である。
【図４９】統計モードの処理のフロー図である。
【図５０】統計選択メニュー画面を例示する図である。
【図５１】統計選択メニュー画面を例示する図である。
【図５２】統計結果を例示する図である。
【図５３】指導者端末装置の処理のフロー図である。
【図５４】指導要請確認モードの処理のフロー図である。
【図５５】応答閲覧モードの処理のフロー図である。
【図５６】指導者閲覧入力モードの処理のフロー図である。
【図５７】共有閲覧モードの処理のフロー図である。
【図５８】共有検索メニュー画面を例示する図である。
【図５９】共有閲覧画面を例示する図である。
【発明を実施するための形態】
【００１２】
［実施形態］
本実施形態では、保育又は教育（以下、保育等とする）の対象となる対象者を、保育園や幼稚園や託児所（以下、保育園等とする。）などの園児として説明する。この対象者は園児に限らず、管理者の下に成長を管理され得る状態にあるものであれば、保育園等の園児に限られるものでない。例えば、対象者は、小学校の児童などであってもよい。
【００１３】
図１のシステム１は、複数の端末装置１０と、管理サーバ５０と、共有サーバ５５と、を含む。複数の端末装置１０、管理サーバ５０及び共有サーバ５５は、ネットワーク５を介して互いに通信可能に接続される。端末装置１０は、保育等の担当者によって利用される担当者端末装置１０ａと、担当者の同僚によって利用される同僚端末装置１０ｂと、保育園等の主任や園長によって利用される管理者端末装置１０ｃと、保育園等の外部に所属する保育等の専門家によって利用される指導者端末装置１０ｄと、園児の保護者等によって利用される外部端末装置１０ｅと、を含む。以下、端末装置１０を利用する担当者、同僚、主任、園長、外部の専門家、保護者等を単にユーザという場合がある。なお、ネットワーク５に接続される端末装置１０は、図１に示す台数に限られない。ここで、本明細書での同僚とは、担当者とは異なる者であって、保育園等における管理者、園長が行うような管理業務を主な職務とせずに保育等の業務を主な職務とする者を指す。
【００１４】
ネットワーク５は、無線ネットワークであり、例えば、ＷｉＦｉ（登録商標）等の無線ＬＡＮ（Local Area Network）、第４世代移動通信システム（いわゆる、４Ｇ）もしくは第５世代移動通信システム（いわゆる、５Ｇ）である。なお、ネットワーク５は、有線ネットワークでもよい。
【００１５】
図２を用いて、端末装置１０のハードウェア構成を説明する。端末装置１０は、ＣＰＵ等の制御装置１１と、メモリ等の記憶装置１２と、タッチパネル、マウス、キーボードなどの入力インターフェース１３と、液晶ディスプレイなどの表示装置（表示パネル）１４と、ネットワーク５に接続するための通信インターフェース１５と、カメラ等の撮像装置１６と、を含む。端末装置１０は、ＰＣ（Ｐｅｒｓｏｎａｌ  Ｃｏｍｐｕｔｅｒ）、ＰＤＡ（Ｐｅｒｓｏｎａｌ  Ｄｉｇｉｔａｌ  Ａｓｓｉｓｔａｎｔ）、携帯電話、スマートフォン、タブレット端末等によって実現される。本実施形態の担当者端末装置１０ａ及び同僚端末装置１０ｂは、園内に設置した無線ＬＡＮルータ６と無線接続され園内で撮影した保育画像と入力した文字等をいつでも保育現場から送信可能にした携帯可能なスマートフォンである。本実施形態の担当者端末装置１０ａ及び同僚端末装置１０ｂは、同一の構成を有する。本実施形態の管理者端末装置１０ｃ、指導者端末装置１０ｄ及び外部端末装置１０ｅは、ケーブルでインターネットの終端装置７に直接接続された卓上のＰＣである。端末装置１０がＰＣである場合、端末装置１０は撮像装置１６を有さなくてもよい。また、本実施形態では、管理サーバ５０のような専用サーバを外部設置したが、これに限定されず、セキュリティー向上のため専用サーバを外部設置するのではなく、管理端末装置１０ｃをサーバとして兼用し公衆回線を経由することのない構内ネットワークを構成することも可能である。
【００１６】
図３を用いて、端末装置１０の機能について説明する。図３を含む各図に示す各機能ブロックは、コンピュータのＣＰＵ等の電子素子や機械部品などハードウェア、コンピュータプログラムなどソフトウェア、又はその組み合わせによって実現される。図３の端末装置１０は、端末側生成部２１と、端末側受信部２２と、端末側送信部２３と、ユーザ入力受付部２４と、出力部２５と、モード処理実行部２６と、端末側記憶部２７と、を備える。
【００１７】
端末側生成部２１は、保育等の場面を示す場面情報やその場面情報についての端末装置１０のユーザの見解を示す見解情報等を生成する。本実施形態の場面情報は、保育画像である。保育画像は、動画であっても静止画であってもよい。本実施形態の端末側生成部２１は、撮像装置１６によって撮影することにより保育画像（場面情報）を生成する。また、端末側生成部２１は、保育画像について後述する見解入力画面を介して受け付けたユーザ入力に基づいて見解情報を生成する。
【００１８】
端末側受信部２２は、場面情報、後述する統合情報、見解情報の集計結果等を通信インターフェース１５を介して受信する。本実施形態の端末側受信部２２は、取得部の例である。
【００１９】
端末側送信部２３は、場面情報や見解情報等を通信インターフェース１５を介して送信する。端末側送信部２３は、場面情報及び見解情報の送信により、場面情報と見解情報とを管理サーバ５０に処理させる。管理サーバ５０は、場面情報及び見解情報の受信を契機として、場面情報及び見解情報の処理を起動する。具体的には、端末装置１０は、管理サーバのＩＰアドレス及びポート番号を指定して場面情報及び見解情報をそれぞれ送信する。ポート番号は管理サーバ５０の処理に対応付けられているため、管理サーバ５０の処理が起動する。また、管理サーバ５０は、統計条件の指定を受けることを契機として、見解情報の集計結果を生成する処理を起動する。本実施形態の端末側送信部２３は、サーバ処理起動部の例である。
【００２０】
ユーザ入力受付部２４は、保育等に関する見解についてのユーザ入力を入力インターフェース１３を介して受け付ける。出力部２５は、お便り案、各種入力画面、場面情報、統合情報等を担当者等に提示する。本実施形態の出力部２５は、表示装置１４を介して場面情報とともに統合情報を表示する。
【００２１】
モード処理実行部２６は、端末装置１０の各実行モードの処理を実行する。本実施形態の担当者端末装置１０ａ及び同僚端末装置１０ｂは、撮影・転送モードと、付加情報入力モードと、お便り作成モードと、担当者見解入力モードと、同僚見解入力モードと、検索閲覧モードと、指導要請モードと、担当者研修モードと、応答確認モードと、終了モードとを含む実行モードを有する。本実施形態では、起動時には、保育等の貴重な場面を撮影し逃さないようにするために、担当者端末装置１０ａ及び同僚端末装置１０ｂの実行モードは撮影・転送モードに設定される。
【００２２】
本実施形態の管理者端末装置１０ｃは、アップロード確認モードと、お便り案承認モードと、管理者見解入力モードと、指導コメント閲覧モードと、共有化判定モードと、管理者閲覧モードと、統計モードと、管理者研修モードと、終了モードとを含む実行モードを有する。指導者端末装置１０ｄは、指導要請確認モードと、応答閲覧モードと、指導者閲覧入力モードと、終了モードとを含む実行モードを有する。
【００２３】
なお、上述した各端末装置１０の実行モードの詳細は後述する。
【００２４】
端末側記憶部２７は、撮影した保育画像等の各種情報を記憶する。
【００２５】
図４を用いて、管理サーバ及び共有サーバのハードウェア構成について説明する。管理サーバ５０は、ＣＰＵ等の制御装置５１と、記憶装置５２と、ネットワーク５に接続するための通信インターフェース５３と、を備える。管理サーバ５０及び共有サーバ５５は、例えばクラウドサーバを用いることができる。ここで、クラウドサーバは、例えばデータやソフトウェアの所在を意識することなく、ネットワーク５に接続された装置にそれぞれの機能を持たせ必要に応じて情報を取り出すことができるサーバである。したがって、管理サーバ５０及び共有サーバ５５は、それぞれ、１つの装置でもよく、複数の装置を含んでもよい。
【００２６】
共有サーバ５５は、例えば複数の端末装置１０間で情報を共有させるための情報処理装置である。共有サーバ５５は、管理者端末装置１０ｃから共有情報を取得すると、所定の場所に格納する。共有サーバ５５は、例えば外部端末装置１０ｅからアクセス要求を受け付けた場合に、外部端末装置１０ｅに対して共有情報を閲覧させる。
【００２７】
図５を用いて、管理サーバ５０の機能を説明する。管理サーバ５０は、サーバ側生成部６１と、サーバ側受信部６２と、サーバ側送信部６３と、サーバ側記憶部６４と、統計処理部６５と、を含む。
【００２８】
サーバ側生成部６１は、各種画面表示情報、統合情報等を生成する。例えば、サーバ側生成部６１は、場面情報に対応付けられた見解情報に基づいて、後述の統合情報を生成する。サーバ側受信部６２は、端末装置１０から送信された場面情報及び見解情報等を通信インターフェース５３を介して受信する。サーバ側送信部６３は、各種画面表示情報、統合情報等を通信インターフェース５３を介して端末装置１０に送信する。サーバ側記憶部６４は、端末装置１０から受信した各種情報を記憶する。例えば、サーバ側記憶部６４は、受信した場面情報及び見解情報を対応付けて記憶（または登録）する。また、サーバ側記憶部６４は、後述する各種画面における保育画像、各種項目欄、各種コメント欄、各種ボタン等の配置を示すフォーマット情報を予め記憶する。統計処理部６５は、後述の統計モードにおける処理を実行する。
【００２９】
ところで、保育園等では、保育等の担当者は、日々の業務として、保育等の場面を示す保育画像を撮影するとともに、この撮影した画像を用いて保護者向けに最近の園内活動を紹介するお便りを作成する。図６に示すように、お便りは、園内活動の場面を撮影した保育画像と、お便りに記載されるコメント（お便りコメント）とを含む。このお便りは、保育園等の掲示板等に張り付けられ、保護者等に配布される。保護者は、このお便りを見て、保育園等での園児の様子を把握することが可能となる。
【００３０】
担当者に対する教育の一環として、このお便りを作成する際に、「保育指針等に於ける発達の視点」に基づいて、各担当者に自身が撮影した保育画像の場面が保育環境にどのような影響を与えるのかを評価させることが想定される。ここで、「保育指針等に於ける発達の視点」とは、園内活動において目指す保育の姿が国によって定められたものである。「保育指針等」とは、「保育所保育指針」と「幼稚園教育要領」と「幼稚園連携型認定こども園教育・保育要領」とを指す。「発達の視点」とは、「幼児期の終わりまでに育って欲しい１０の姿」と「５領域」と「３つの視点」を指す。「幼児期の終わりまでに育って欲しい１０の姿」は、健康な心と体、自立心、協調性、道徳性・規範意識の芽生え、社会生活との関わり、思考力の芽生え、自然との関わり・生命の尊重、数量・図形・文字等への関心・感覚、言葉による伝え合い及び豊かな感性と表現を含む評価項目を有する。「５領域」は、健康、人間関係、環境、言葉及び表現を含む評価項目を有する。「３つの視点」は、身体的発達、社会的発達及び精神的発達を含む評価項目を有する。
【００３１】
これにより、お便りを作成した担当者に、お便りの保育画像を通じて、「保育指針等に於ける発達の視点」に基づいて、どのような保育環境を提供したかを学習させることが可能となる。その結果、各担当者の保育環境に対する評価能力を向上させることが可能となる。
【００３２】
しかし、担当者が「保育指針等に於ける発達の視点」に基づく評価を個別にしただけでは、その評価が適切であるかどうかを担当者が適切に理解できない場合がある。この場合、「保育指針等に於ける発達の視点」に基づく評価を行ったとしても、保育環境に対する評価能力の効果的な向上が期待できない。
【００３３】
本発明者らは、保育環境に対する評価能力を効果的に向上させるために、担当者の評価内容が適切かどうかを判断できる客観的な判断基準を提供する必要があると考え、本発明に想到した。
【００３４】
本実施形態では、保育画像（場面情報）に対応付けられた複数の見解情報を統合した結果得られる統合情報（例えば図３４〜３６参照）が提示される。見解情報は「保育指針等に於ける発達の視点」に基づいて定められた複数の項目の内容についての評価結果を見解として含む。本実施形態の統合情報は、保育画像と、その保育画像に対応付けられた複数の見解情報における各項目の内容についての評価結果の統合結果（集計結果）とを含む。
【００３５】
本実施形態によると、保育等に関する自己の見解が適切かどうかを他人の見解に基づいて客観的に判断することが可能となる。例えば、保育画像に対する自己の見解と他人の見解と見比べることにより、自己と他人の見解（評価項目）が一致した場合には自身の見解が適切であったと判断できる。また、他人が異なる評価項目を選択した場合には、その保育画像が示す場面において自身が気付かなかった観点を学ぶことができる。また、園長や管理者など、保育に関する経験が豊富な者の意見を容易に取り入れることができるようになる。このように、同僚、管理者又は指導者はどのような見解を入力したのか、なぜ異なる見解を入力したのか、自己の見解は正しいのか、自分の見解を変更する必要があるのか等を検討することが可能となる。その結果、保育等に対する評価能力をより一層向上させることが可能となる。
【００３６】
本実施形態は、例えば保育園等で定期的（例えばクラス別で週１回、全体で月１回）に開催される園内研修会において適用することが好ましい。具体的には、図７に示すように、園内研修会において、担当者、同僚、管理者、園長等が集まって、各評価項目について見解情報を統合した結果得られる統合情報を参照することにより、複数の人の見解を容易に議論することが可能となる。その結果、保育等の研修の内容をより充実させることができ、研修の参加者の能力をより一層向上させることが可能となる。
【００３７】
（担当者端末装置及び同僚端末装置の動作）
上記を踏まえて、図８を用いて、本実施形態の担当者端末装置１０ａ又は同僚端末装置１０ｂの処理Ｓ１について説明する。ここで、処理Ｓ１に関する説明において、端末装置１０は、担当者端末装置１０ａ又は同僚端末装置１０ｂを指すものとする。以下では、特に言及する場合を除き、端末装置１０はネットワーク５を介して管理サーバ５０に接続されるものとする。
【００３８】
端末装置１０を起動させると、処理Ｓ１はＳ１１に進む。Ｓ１１で、端末装置１０は、撮影・転送モードの処理を実行する。撮影・転送モードの処理の詳細については後述する。なお、後述するように、各実行モードの処理の終了の直前には実行モードが選択され（図９のＳ１２５等）、この選択された実行モードに設定されて各処理が終了する。
【００３９】
Ｓ１２で、端末装置１０は、実行モードが撮影・転送モードであるかどうかを判定する。撮影・転送モードである場合（Ｓ１２のＹ）、処理Ｓ１はＳ１３に進む。撮影・転送モードではない場合（Ｓ１２のＮ）、処理Ｓ１はＳ１４に進む。Ｓ１３で、端末装置１０は、撮影・転送モードの処理を実行する。Ｓ１３での撮影・転送モードの処理は、Ｓ１１と同様である。その後、処理Ｓ１はＳ１４に進む。
【００４０】
Ｓ１４で、端末装置１０は、実行モードが付加情報入力モードであるかどうかを判定する。付加情報入力モードである場合（Ｓ１４のＹ）、処理Ｓ１はＳ１５に進む。付加情報入力モードではない場合（Ｓ１４のＮ）、処理Ｓ１はＳ１６に進む。Ｓ１５で、端末装置１０は、付加情報入力モードの処理を実行する。付加情報入力モードの処理の詳細については後述する。Ｓ１５の後、処理Ｓ１はＳ１６に進む。
【００４１】
Ｓ１６で、端末装置１０は、実行モードがお便り作成モードであるかどうかを判定する。お便り作成モードである場合（Ｓ１６のＹ）、処理Ｓ１はＳ１７に進む。お便り作成モードではない場合（Ｓ１６のＮ）、処理Ｓ１はＳ１８に進む。Ｓ１７で、端末装置１０は、お便り作成モードの処理を実行する。お便り作成モードの処理の詳細については後述する。Ｓ１７の後、処理Ｓ１はＳ１８に進む。
【００４２】
Ｓ１８で、端末装置１０は、実行モードが担当者見解入力モードであるかどうかを判定する。担当者見解入力モードである場合（Ｓ１８のＹ）、処理Ｓ１はＳ１９に進む。担当者見解入力モードではない場合（Ｓ１８のＮ）、処理Ｓ１はＳ２０に進む。Ｓ１９で、端末装置１０は、担当者見解入力モードの処理を実行する。担当者見解入力モードの処理の詳細については後述する。Ｓ１９の後、処理Ｓ１はＳ２０に進む。
【００４３】
Ｓ２０で、端末装置１０は、実行モードが同僚見解入力モードであるかどうかを判定する。同僚見解入力モードである場合（Ｓ２０のＹ）、処理Ｓ１はＳ２１に進む。担当者見解入力モードではない場合（Ｓ２０のＮ）、処理Ｓ１はＳ２２に進む。Ｓ２１で、端末装置１０は、同僚見解入力モードの処理を実行する。同僚見解入力モードの処理の詳細については後述する。Ｓ２１の後、処理Ｓ１はＳ２２に進む。
【００４４】
Ｓ２２で、端末装置１０は、実行モードが検索閲覧モードであるかどうかを判定する。検索閲覧モードである場合（Ｓ２２のＹ）、処理Ｓ１はＳ２３に進む。検索閲覧モードではない場合（Ｓ２２のＮ）、処理Ｓ１はＳ２４に進む。Ｓ２３で、端末装置１０は、検索閲覧モードの処理を実行する。検索閲覧モードの処理の詳細については後述する。Ｓ２３の後、処理Ｓ１はＳ２４に進む。
【００４５】
Ｓ２４で、端末装置１０は、実行モードが指導要請モードであるかどうかを判定する。指導要請モードである場合（Ｓ２４のＹ）、処理Ｓ１はＳ２５に進む。指導要請モードではない場合（Ｓ２４のＮ）、処理Ｓ１はＳ２６に進む。Ｓ２５で、端末装置１０は、指導要請モードの処理を実行する。指導要請モードの処理の詳細については後述する。Ｓ２５の後、処理Ｓ１はＳ２６に進む。
【００４６】
Ｓ２６で、端末装置１０は、実行モードが担当者研修モードであるかどうかを判定する。担当者研修モードである場合（Ｓ２６のＹ）、処理Ｓ１はＳ２７に進む。担当者研修モードではない場合（Ｓ２６のＮ）、処理Ｓ１はＳ２８に進む。Ｓ２７で、端末装置１０は、担当者研修モードの処理を実行する。担当者研修モードの処理の詳細については後述する。Ｓ２７の後、処理Ｓ１はＳ２８に進む。
【００４７】
Ｓ２８で、端末装置１０は、後述する応答報知（お便り承認報知、同僚、管理者又は指導コメント発生報知、同僚、管理者又は指導者見解入力報知）を受けたかどうかを判定する。応答報知を受けた場合（Ｓ２８のＹ）、処理Ｓ１はＳ２９に進む。応答報知を受けていない場合（Ｓ２８のＮ）、処理Ｓ１はＳ３１に進む。Ｓ２９で、端末装置１０は、実行モードが応答確認モードであるかどうかを判定する。応答確認モードである場合（Ｓ２９のＹ）、処理Ｓ１はＳ３０に進む。応答確認モードではない場合（Ｓ２９のＮ）、処理Ｓ１はＳ３１に進む。Ｓ３０で、端末装置１０は、応答確認モードの処理を実行する。応答確認モードの処理の詳細については後述する。Ｓ３０の後、処理Ｓ１はＳ３１に進む。
【００４８】
Ｓ３１で、端末装置１０は、終了モードであるかどうかを判定する。終了モードである場合（Ｓ３１のＹ）、処理Ｓ１は終了する。終了モードではない場合（Ｓ３１のＮ）、処理Ｓ１はＳ１２に戻る。
【００４９】
（撮影・転送モードの処理）
図９を用いて、Ｓ１１及びＳ１３の撮影・転送モードにおける端末装置１０の処理及び端末装置１０が管理サーバ５０に実行させる処理の流れについて詳細に説明する。ます、撮影・転送モードについて説明する。撮影・転送モードは、撮影モードと転送モードとを含む。撮影モードは、保育画像を撮影するモードである。転送モードは、撮影モードにおいて撮影した保育画像を管理サーバ５０に転送するモードである。また、撮影モードは、シャッターモードと編集モードとを含む。シャッターモードは、保育画像を撮影するモードである。編集モードは、消去モードとグループ化モードとを含む。消去モードは、撮影ミスした保育画像を消去するモードである。グループ化モードは、検索情報やタイトルやコメントが共通化できる保育画像をグループ化して１枚の保育画像と同等のドキュメントとして扱うためのモードである。撮影モードのみネットワーク５に接続されていない状態でも実行可能であり、他の実行モードはネットワーク５に接続された状態でのみ実行される。
【００５０】
Ｓ１０１で、端末装置１０は、図１０の撮影画面を表示する。図１０の撮影画面は、日付と、時刻と、担当者名と、モード選択画面に移行するための選択モードボタンと、撮影を実行するための撮影ボタンと、を含む。ここでは、端末装置１０の実行モードは、撮影・転送モードにおける撮影モードである。撮影ボタンが操作する度に、画像（本実施形態では保育画像）が撮影される。保育画像は扱いやすさの観点から横長画像が一般的であり、端末装置１０の撮影画面を横向きにして通常撮影される。これに限定されず、保育画像は縦長画像であってもよい。
【００５１】
Ｓ１０２で、端末装置１０は、図１０の撮影画面において選択モードボタンが選択されたかどうかを判定する。選択モードボタンが選択されたと判定された場合（Ｓ１０２のＹ）、端末装置１０は端末装置１０のユーザを示すユーザ情報及びモード選択画面要求を管理サーバ５０に送信し、本処理はＳ１２３に進む。選択モードが選択されないと判定された場合（Ｓ１０２のＮ）、本処理はＳ１０３に進む。
【００５２】
Ｓ１０３で、端末装置１０は、撮影が実行されたかどうかを判定する。ここでは、図１０の撮影画面において撮影ボタンが操作された場合に、撮影が実行されたと判定される。図１０の撮影画面において撮影ボタンが選択されない状態では、撮影が実行されないとは判定される。撮影が実行されたと判定された場合（Ｓ１０３のＹ）、本処理はＳ１０４に進む。撮影が実行されないと判定された場合（Ｓ１０３のＮ）、本処理はＳ１０２に戻る。
【００５３】
Ｓ１０４で、端末装置１０は、撮影された保育画像を記憶する。ここでは、撮影された保育画像は撮影情報（担当者名と撮影日時等）に対応付けられて記憶される。その後、Ｓ１１はＳ１０５に進む。
【００５４】
Ｓ１０５で、端末装置１０は、図１１の画像確認画面を表示する。図１１の画像確認画面は、日付と、時刻と、撮影を実行するための撮影ボタンと、撮影を終了するための撮影終了ボタンと、を含む。次に、Ｓ１０６で、端末装置１０は、撮影が終了したかどうかを判定する。ここでは、図１１の画像確認画面において撮影終了ボタンが選択された場合に撮影が終了したと判定される。図１１の画像確認画面において撮影終了ボタンが選択されない状態では、撮影が終了したとは判定されない。撮影が終了しない場合（Ｓ１０６のＮ）、本処理はＳ１０２に戻る。撮影が終了した場合（Ｓ１０６のＹ）、本処理はＳ１０７に進む。
【００５５】
Ｓ１０７で、端末装置１０の実行モードが編集モードになり、端末装置１０は、図１２の編集画面を表示する。図１２の編集画面は、各保育画像と、消去ボタン、グループ化ボタン、転送ボタンと、を含む。図１２の編集画面では、今回の撮影で記憶した保育画像が子画面化された状態で表示される。子画面が多数ある場合、スクロール表示によって全子画面を編集することが可能である。
【００５６】
Ｓ１０８で、端末装置１０は、実行モードが編集モードにおける消去モードであるかどうかを判定する。ここでは、図１２の編集画面において消去ボタンが選択された場合に、消去モードであると判定される。消去モードである場合（Ｓ１０８のＹ）、本処理はＳ１０９に進む。消去モードではない場合（Ｓ１０８のＮ）、本処理はＳ１１３に進む。
【００５７】
Ｓ１０９で、端末装置１０は、図１３の消去画面において撮影ミスにより記憶された保育画像の子画面の選択入力を受け付ける。次に、Ｓ１１０で、端末装置１０は、選択された子画面を強調表示する。ここでは、図１３に示すように、選択された子画面が例えば薄く彩度変更されて識別表示される。薄く彩度変更された子画面が再度選択されると、元通りに表示される。なお、強調表示の方法は、これに限定されず、子画面枠を太く表示したり、子画面に識別マークを付加するなど、種々の形態が可能である。以下で強調表示する際も同様である。
【００５８】
次に、Ｓ１１１で、端末装置１０は、保育画像の消去が実行されるかどうかを判定する。ここでは、最終的に薄く表示された子画面が確認され、図１３の消去画面中の消去実行ボタンが選択された場合、保育画像の消去が実行される。消去が実行された場合（Ｓ１１１のＹ）、本処理はＳ１１２に進む。消去が実行されない場合（Ｓ１１１のＮ）、本処理はＳ１０９に戻る。
【００５９】
Ｓ１１２で、図１４の編集画面において保育画像が消去され、消去された保育画面を除くように保育画像の子画面の配置が変更される。Ｓ１１３で、端末装置１０は、実行モードが編集モードにおけるグループ化モードであるかどうかを判定する。ここでは、図１２又は１４の編集画面においてグループ化ボタンが選択された場合に、グループ化モードであると判定される。グループ化モードである場合（Ｓ１１３のＹ）、本処理はＳ１１４に進む。グループ化モードではない場合（Ｓ１１３のＮ）、本処理はＳ１１８に進む。
【００６０】
Ｓ１１４で、端末装置１０は、図１５のグループ化画面においてグループ化したい保育画像の子画面の選択入力を受け付ける。次に、Ｓ１１５で、端末装置１０は、選択された子画面を強調表示する。ここでは、図１５に示すように、選択された子画面に例えば星形の識別マークが表示される。識別マークが表示された子画面を再度選択すれば元通りに表示される。
【００６１】
次に、Ｓ１１６で、端末装置１０は、保育画像のグループ化が実行されるかどうかを判定する。ここでは、識別マークが表示された子画面が確認されて、図１５のグループ化画面中のグループ化実行ボタンが選択された場合に、保育画像のグループ化が実行される。グループ化が実行された場合（Ｓ１１６のＹ）、本処理はＳ１１７に進む。グループ化が実行されない場合（Ｓ１１６のＮ）、本処理はＳ１１４に戻る。
【００６２】
Ｓ１１７で、端末装置１０は、図１６に示すように、選択された複数の保育画像を重ね合わせ表示してグループ化し、保育画像の子画面の配置を変更する。重ね合わせられた子画面を選択する度に最表面に表示される保育画像の子画面が入れ替わり、背面の保育画像はいつでも確認できる。
【００６３】
Ｓ１１８で、端末装置１０は、編集が終了したかどうかを判定する。ここでは、図１２、１４、１６の編集画面中の転送ボタンが選択された場合、編集が終了したと判定される。編集が終了した場合（Ｓ１１８のＹ）、端末装置１０の実行モードが転送モードに移行し、本処理はＳ１１９に進む。編集が終了しない場合（Ｓ１１８のＮ）、本処理はＳ１０８に戻る。
【００６４】
Ｓ１１９で、端末装置１０は、保育画像及びその撮影情報を管理サーバ５０に転送する。これにより、後のＳ１２０で保育画像及びその撮影情報を管理サーバ５０に記憶（登録）させることが可能となる。ここでは、撮影された保育画像のうち、消去されなかった全ての保育画像を転送する。保育画像がグループ化されている場合、グループ化された保育画像は互いに対応付けられて転送される。なお、転送する際に端末装置１０がネットワーク５に接続されていない場合、編集済みの保育画像とその撮影情報は、端末側記憶部に記憶されたまま処理Ｓ１は終了する。その後、端末装置１０がネットワーク５に接続された状態で新たに撮影されて編集された保育画像および撮影情報と共に、Ｓ１１９において管理サーバ５０に転送される。
【００６５】
Ｓ１２０で、管理サーバ５０は、転送された保育画像及びその撮影情報を対応付けて記憶する。Ｓ１２１で、管理サーバ５０は、記憶を完了した旨の記憶完了確認を端末装置１０に送信するとともに、主任の管理者端末装置１０ｃに保育画像チェックのためのアップロード報知を行う。Ｓ１２２で、端末装置１０は、記憶完了確認の受信に応答して、管理サーバ５０に転送した保育画像及びその撮影情報を消去するとともに、ユーザ情報及びモード選択画面要求を管理サーバ５０に送信する。
【００６６】
Ｓ１２３で、管理サーバ５０は、モード選択画面要求に応答して、ユーザ情報に基づいて、ユーザに対応するモード選択画面を表示させるためのモード選択画面表示情報を生成して、端末装置１０に送信する。
【００６７】
Ｓ１２４で、端末装置１０は、モード選択画面表示情報に基づいて、図１７のモード選択画面を表示する。モード選択画面では、撮影・転送モードと、付加情報入力モードと、お便り作成モードと、担当者見解入力モードと、同僚見解入力モードと、検索閲覧モードと、担当者研修モードと、応答確認モードと、終了モードと、をそれぞれ選択するためのモード選択ボタンが表示される。なお、モード選択画面では、応答確認モード以外の実行モードを自由に選択できるが、応答確認モードについてはコメント等の応答報知が来ない限り移行しないようにされる。
【００６８】
Ｓ１２５で、端末装置１０は、モード選択画面中のモード選択ボタンの選択入力を受け付けると、実行モードをその選択された実行モードに設定する。その後、本処理は終了する。
【００６９】
（付加情報入力モードの処理）
図１８を用いて、Ｓ１５の付加情報入力モードにおける端末装置１０の処理及び端末装置１０が管理サーバ５０に実行させる処理の流れについて説明する。付加情報入力モードは、保育画像に関する付加情報、お便りに利用するタイトル及びお便りに記載するお便りコメント、お便りには記載しない担当者の自由コメントを入力するためのモードである。付加情報入力モードで入力された付加情報は、保育画像を検索する際に端末装置１０が指定した検索条件と比較される。検索条件と一致した付加情報に対応付けられた保育画像が検索結果として得られる。
【００７０】
Ｓ２０１で、端末装置１０は、ユーザ情報及び付加情報入力モード実行指示を管理サーバ５０に送信する。Ｓ２０２で、管理サーバ５０は、付加情報入力モード実行指示を受けたことに応答して、ユーザ情報とサーバ側記憶部６４に記憶された撮影情報とに基づいて、そのユーザによって撮影された保育画像のうち付加情報が未入力の保育画像を検索する。次に、Ｓ２０３で、管理サーバ５０は、Ｓ２０２で検索された保育画像を子画面化した画像選択画面を表示させるための画像選択画面表示情報を生成し、端末装置１０に送信する。
【００７１】
次に、Ｓ２０４で、端末装置１０が画像選択画面表示情報を受信すると、端末装置１０は、画像選択画面表示情報に基づいて、画像選択画面を表示する。次に、Ｓ２０５で、端末装置１０は、画像選択画面において保育画像の選択入力を受け付けると、選択された保育画像を識別するための画像識別情報を管理サーバ５０に送信する。Ｓ２０６で、管理サーバ５０は、画像識別情報に基づいて、選択された保育画像を記憶する。次に、Ｓ２０７で、管理サーバ５０は、選択された保育画像の子画面を強調表示するための強調表示情報を生成し、端末装置１０に送信する。
【００７２】
次に、Ｓ２０８で、端末装置１０が強調表示情報を受信すると、端末装置１０は、強調表示情報に基づいて、Ｓ２０５で選択された子画面を強調表示する。ここでは、図１９に示すように、選択された子画面に五角形の識別マークを付加することにより選択された子画面を強調表示する。
【００７３】
次に、Ｓ２０９で、端末装置１０は、画像選択が完了したかどうかを判定する。ここでは、識別マークが表示された子画面が確認され、図１９の画像選択画面中の完了ボタンが選択された場合、画像選択が完了したと判定される。画像選択が完了したと判定された場合（Ｓ２０９のＹ）、端末装置１０が完了確認を管理サーバ５０に送信し、本処理はＳ２１０に進む。画像選択が完了していないと判定された場合（Ｓ２０９のＮ）、本処理はＳ２０５に戻る。
【００７４】
Ｓ２１０で、管理サーバ５０は、付加情報入力画面と、タイトル・コメント入力画面とを表示させるための付加情報入力画面等表示情報を生成し、端末装置１０に送信する。次に、Ｓ２１１で、端末装置１０は、付加情報入力画面等表示情報に基づいて付加入力画面及びタイトル・コメント入力画面を表示する。
【００７５】
図２０の付加情報入力画面は、Ｓ２０５で選択された保育画像の子画面と、年齢クラス、場面、季節及び保護者公開の有無に関する複数の付加情報入力項目とを有する。各付加情報入力項目は、その内容をプルダウン形式で選択入力可能に構成される。例えば、「年齢クラス」の付加情報入力項目を選択すると、「０歳児」、「１歳児」、「２歳児」、「３歳児」、「４歳児」、「５歳児」、「３歳児未満」、「３歳児以上」、「異年齢」のプルダウンメニューが表示される。「場面」の付加情報入力項目を選択すると、「遊び」、「生活」、「行事」、「その他」のプルダウンメニューが表示される。「季節」の付加情報入力項目を選択すると、「春」、「梅雨」、「夏」、「秋」、「冬」のプルダウンメニューが表示される。「保護者公開」の付加情報入力項目を選択すると、「公開」、「非公開」、「？」のプルダウンメニューが表示される。なお、「？」は、その判断を保留にする際に選択される。
【００７６】
図２１に示すように、タイトル・コメント入力画面は、Ｓ２０５で選択された保育画像の子画面と、タイトル欄と、担当者コメント欄と、お便りコメント欄と、自由コメント欄と、完了ボタンとを有する。タイトル欄は、タイトルを入力するための入力欄である。例えば、タイトル欄には、１５文字以内のキャッチコピーが入力される。担当者コメント欄は、担当者の印象に基づく担当者のコメントを入力するための入力欄である。お便りコメント欄は、お便りに使用したり外部公表する正式なコメントを入力するための入力欄である。自由コメント欄は、自由なコメントを入力するための入力欄である。
【００７７】
次に、Ｓ２１２で、端末装置１０は、付加情報入力画面において付加情報の入力を受け付けると、入力された付加情報を管理サーバ５０に送信する。本実施形態では、付加情報選択画面中の年齢クラス、場面、季節及び保護者公開の有無について選択入力された内容に基づいて付加情報が生成され、管理サーバ５０に送信される。Ｓ２１３で、管理サーバ５０は、選択された保育画像に対応付けて付加情報を記憶する。次に、Ｓ２１４で、管理サーバ５０は、選択入力された付加情報の内容を反映させるように付加情報入力画面を変更するための入力付加情報表示情報を生成し、端末装置１０に送信する。Ｓ２１５で、端末装置１０は、入力付加情報表示情報に基づいて、選択入力された付加情報の内容を反映させるように付加情報入力画面を変更する。
【００７８】
Ｓ２１６で、端末装置１０は、付加情報の入力が完了したかどうかを判定する。ここでは、図２０の付加情報入力画面中の完了ボタンが選択された場合に、付加情報の入力が完了したと判定される。付加情報の入力が完了した場合（Ｓ２１６のＹ）、端末装置１０が完了確認を管理サーバ５０に送信し、本処理はＳ２１７に進む。付加情報の入力が完了していない場合（Ｓ２１６のＮ）、本処理はＳ２１２に戻る。
【００７９】
次に、Ｓ２１７〜Ｓ２２０に進む。Ｓ２１７〜Ｓ２２０は、基本的には上述のＳ２１２〜Ｓ２１５と同様であるため、Ｓ２１２〜Ｓ２１５と重複する説明を適宜省略して説明する。Ｓ２１７で、端末装置１０は、タイトルの入力を受け付け、タイトルの入力内容を示すタイトル情報を管理サーバ５０に送信する。ここでは、プルダウン形式ではなくテキストを入力する形式でタイトルが入力される。
【００８０】
Ｓ２１８〜Ｓ２２０の後、Ｓ２２１で、端末装置１０は、タイトルの入力が完了したかどうかを判定する。ここでは、タイトル欄が選択された状態で図２１に示すタイトル・コメント入力画面中の完了ボタンが選択された場合、タイトルの入力が完了したと判定される。タイトルの入力が完了したと判定された場合（Ｓ２２１のＹ）、端末装置１０が完了確認を管理サーバ５０に送信し、本処理はＳ２２２に進む。タイトルの入力が完了していないと判定された場合（Ｓ２２１のＮ）、本処理はＳ２１７に戻る。
【００８１】
Ｓ２２２で、端末装置１０は、コメント欄が選択されたかどうかを判定する。コメント欄が選択された場合（Ｓ２２２のＹ）、本処理はＳ２２３に進む。コメント欄が選択されない場合（Ｓ２２２のＮ）、端末装置１０は完了確認を管理サーバ５０に送信し、本処理はＳ２２８に進む。
【００８２】
Ｓ２２３〜Ｓ２２７は、基本的には上述のＳ２１７〜Ｓ２２１と同様であるため、Ｓ２１７〜Ｓ２２１と重複する説明を適宜省略して説明する。Ｓ２２３で、端末装置１０は、コメントの入力を受け付け、コメントの入力内容を示すコメント情報を管理サーバ５０に送信する。
【００８３】
Ｓ２２４〜Ｓ２２６の後、Ｓ２２７で、端末装置１０は、コメントの入力が完了したかどうかを判定する。ここでは、コメント欄が選択された状態で図２１に示すタイトル・コメント入力画面中の完了ボタンが選択された場合、コメントの入力が完了したと判定される。コメントの入力が完了したと判定された場合（Ｓ２２７のＹ）、端末装置１０が完了確認情報を管理サーバ５０に送信し、本処理はＳ２２８に進む。コメントの入力が完了していないと判定された場合（Ｓ２２７のＮ）、本処理はＳ２２３に戻る。
【００８４】
Ｓ２２８で、管理サーバ５０は、完了確認情報を受信すると、付加情報、タイトル、コメントが未入力の保育画像があるかどうかを判定する。ここでは、管理サーバがそのユーザが撮影した保育画像のうち、付加情報等が未入力の保育画像を検索することにより、その有無を判定する。未入力の保育画像があると判定された場合（Ｓ２２８のＹ）、本処理はＳ２２９に進む。未入力の保育画像がないと判定された場合（Ｓ２２８のＮ）、本処理はＳ２３０に進む。
【００８５】
Ｓ２２９で、端末装置１０は、付加情報等の入力を継続するかどうかを判定する。ここでは、付加情報等の入力を継続する旨の選択肢と入力を継続しない旨の選択肢が表示され、その選択肢に対するユーザ入力に基づいて継続するかどうかが判定される。継続すると判定された場合、本処理はＳ２０２に戻る。継続しないと判定された場合、端末装置１０はモード選択画面表示要求を管理サーバ５０に送信し、本処理はＳ２３０に進む。Ｓ２３０〜Ｓ２３２は、上述のＳ１２３〜Ｓ１２５と同様であるため、その説明を省略する。Ｓ２３２の後、本処理は終了し、処理Ｓ１はＳ１７に進む。
【００８６】
（お便り作成モードの処理）
図２２を用いて、Ｓ１７のお便り作成モードにおける端末装置１０の処理及び端末装置１０が管理サーバ５０に実行させる処理の流れについて説明する。お便り作成モードは、保護者向けに最近の園内活動を紹介するお便りを紙ベース又は電子版で保護者の携帯端末等に提供するモードである。このお便りは、保護者に提供される前に、管理者（主任）の事前のチェックを必要とする。そのため、お便り案の作成が終了すると、管理者による事前のチェックのため、管理サーバ５０から管理者端末装置１０ｃに対して「お便り案」の完成が報知される。
【００８７】
Ｓ３０１で、端末装置１０は、ユーザ情報とお便り作成モード実行指示とを管理サーバ５０に送信する。Ｓ３０２で、管理サーバ５０は、お便り作成モード実行指示を受けたことに応答して、ユーザ情報に基づいて、そのユーザが撮影した保育画像のうち、お便りが未作成の保育画像を検索する。本実施形態では、管理サーバ５０は、非公開や使用禁止とした画像を除いて、担当者が当日に担当クラスについて撮影した保育画像を検索する。
【００８８】
Ｓ３０３〜Ｓ３０６は、基本的には上述のＳ２０３〜Ｓ２０６と同様であるため、Ｓ２０３〜Ｓ２０６と重複する説明を適宜省略して説明する。Ｓ３０６では、Ｓ３０５で選択された保育画像がお便りに採用される保育画像として記憶される。
【００８９】
Ｓ３０７で、サーバは、選択された保育画像、そのタイトル、お便りコメントと、を含むお便り案画面を表示させるためのお便り案画面表示情報を端末装置１０に送信する。Ｓ３０８で、端末装置１０は、受信したお便り案画面表示情報に基づいて、図２３のお便り案画面を表示する。図２３のお便り案画面では、選択された子画面の上下に、その保育画像に対応するタイトル及びお便りコメントがそれぞれ表示される。次に、本処理はＳ３０９に進むが、Ｓ３０９は上述のＳ２０９と同様であるため、その説明を省略する。
【００９０】
Ｓ３１０で、管理サーバ５０は、選択された全ての保育画像の子画面と、それらの保育画像のタイトル及びお便りコメントと、お便りの連絡事項欄と、を表示させるためのお便り一覧画面表示情報を端末装置１０に送信する。Ｓ３１１で、端末装置１０は、受信したお便り一覧画面表示情報に基づいて、図２４のお便り一覧画面を表示する。図２４のお便り一覧画面では、選択された全ての保育画像の子画面と、それらの保育画像のタイトル及びお便りコメントとが表示されるとともに、その下に連絡事項欄が表示される。
【００９１】
Ｓ３１２で、端末装置１０は、画像を追加するかどうかを判定する。ここでは、図２４のお便り一覧画面の画像追加ボタンが選択された場合、画像を追加すると判定される。一方で、例えば、図２４のお便り一覧画面の連絡事項欄が選択された場合には、画像を追加すると判定されない。画像を追加する場合（Ｓ３１２のＹ）、本処理はＳ３０３に戻る。画像を追加しない場合（Ｓ３１２のＮ）、本処理はＳ３１３に進む。
【００９２】
Ｓ３１３で、端末装置１０は、連絡事項の入力を受け付け、連絡事項の入力内容を示す連絡事項情報を管理サーバ５０に送信する。Ｓ３１４で、管理サーバ５０は、連絡事項表示情報を端末装置１０に送信する。Ｓ３１５で、端末装置１０は、連絡事項表示情報に基づいて、図２４のお便り一覧画面において、連絡事項欄に入力内容を反映させるとともに、画像追加ボタンを入力完了ボタンに変更する。
【００９３】
Ｓ３１６で、端末装置１０は、連絡事項の入力が完了したかどうかを判定する。ここでは、図２４のお便り一覧画面中の入力完了ボタンが選択された場合に、連絡事項の入力が完了したと判定される。連絡事項の入力が完了した場合（Ｓ３１６のＹ）、端末装置１０が完了確認を管理サーバ５０に送信し、本処理はＳ３１７に進む。連絡事項の入力が完了していない場合（Ｓ３１６のＮ）、本処理はＳ３１３に戻る。
【００９４】
Ｓ３１７で、管理サーバ５０は、台紙における保育画像やタイトル・コメント等の配置を選択させるための台紙候補画面表示情報を端末装置１０に送信する。Ｓ３１８で、端末装置１０は、受信した台紙候補画面表示情報に基づいて、図２５の台紙候補画面を表示する。図２５の台紙候補画面では、それぞれ異なる配置の複数の台紙候補（本実施形態では３つの台紙候補）が表示される。本実施形態では、選択した画像の枚数に応じた数の台紙の候補が表示される。サーバ側記憶部６４は、保育画像の選択枚数に合わせて予め作成された台紙画像を予め記憶している。管理サーバ５０は、この台紙画像の台紙画像の配置に合わせて保育画像のサイズや位置を自動配置する。
【００９５】
Ｓ３１９で、端末装置１０は、台紙の選択入力を受け付けると、その台紙を示す台紙情報を管理サーバ５０に送信する。Ｓ３２０で、管理サーバ５０は、台紙情報に基づいて、選択された台紙を用いたお便りのプレビュー画面を表示させるためのプレビュー画面表示情報を端末装置１０に送信する。
【００９６】
Ｓ３２１で、端末装置１０は、プレビュー画面表示情報に基づいて、図２６のお便りのプレビュー画面を表示する。図２６のお便りのプレビュー画面では、Ｙ２の保育画像が最も大きく表示され、Ｙ５及びＹ８の保育画像は同じ大きさ且つＹ２の保育画像よりも小さく表示される。Ｙ５及びＹ８の保育画像はＹ２の保育画像の横に表示され、Ｙ５の保育画像の下にＹ８の保育画像が表示される。
【００９７】
Ｓ３２２で、端末装置１０は、お便り中の保育画像の配置を変更するかどうかを判定する。ここでは、図２６のお便りのプレビュー画面中の配置変更ボタンが選択された場合には、保育画像の配置を変更すると判定される。一方で、図２６のお便りのプレビュー画面中のお便り完了ボタンや台紙変更ボタンが選択された場合には、保育画像の配置を変更しないと判定される。配置を変更する場合（Ｓ３２２のＹ）、本処理はＳ３２３に進む。配置を変更しない場合（Ｓ３２２のＮ）、本処理はＳ３２６に進む。
【００９８】
Ｓ３２３で、端末装置１０は、保育画像の配置を変更するシフト操作を受け付けて、そのシフト操作を示すシフト操作情報を管理サーバ５０に送信する。ここでは、ある保育画像の子画面を選択し、その選択した位置から他の保育画像の子画面の位置にタッチ操作することにより、シフト操作が入力される。Ｓ３２４で、管理サーバ５０は、シフト操作に基づいて、保育画像の配置を変更したお便りのプレビュー画面を表示させるための配置変更画面表示情報を端末装置１０に送信する。
【００９９】
Ｓ３２５で、端末装置１０は、受信した配置変更画面表示情報に基づいて、図２７の配置変更画面を表示する。図２７の配置変更画面では、図２６のお便りのプレビュー画面とは保育画像の配置が変更されている。具体的には、Ｙ８の保育画像が最も大きく表示され、Ｙ２及びＹ５の保育画像は同じ大きさ且つＹ８の保育画像よりも小さく表示される。Ｙ２及びＹ５の保育画像はＹ８の保育画像の横に表示され、Ｙ２の保育画像の下にＹ５の保育画像が表示される。
【０１００】
Ｓ３２６で、端末装置１０は、台紙を変更するかどうかを判定する。ここでは、図２６又は図２７の画面中の台紙変更ボタンが選択された場合には、台紙を変更すると判定される。一方で、図２６又は図２７の画面中のお便り完了ボタンが選択された場合には、台紙を変更しないと判定される。台紙を変更する場合（Ｓ３２６のＹ）、本処理はＳ３１７に戻る。台紙を変更しない場合（Ｓ３２６のＮ）、端末装置１０は、お便り完了情報を管理サーバ５０に送信し、本処理はＳ３２７に進む。
【０１０１】
Ｓ３２７で、管理サーバ５０は、作成が完了したお便り案を記憶する。Ｓ３２８で、管理者端末装置１０ｃにお便り案が完成した旨を報知する（以下、お便り案完成報知という）。Ｓ３２９〜Ｓ３３１は、上述のＳ１２３〜Ｓ１２５と同様であるため、その説明を省略する。なお、作成したお便り案は、管理者端末装置１０ｃで承認された後に、紙媒体（掲示用）と電子媒体で発行される。修正が必要なお便りについては管理者端末装置側で修正される。電子媒体で発行されるお便りは、該当するクラスの保護者が閲覧できるように設定されている。
【０１０２】
なお、本実施形態では、担当者が当日に担当クラスについて撮影した保育画像を検索したが、これに限定されず、撮影時期と、対象クラス又は対象年齢とのうちの少なくとも１つに基づいて保育画像が検索されてもよい。
【０１０３】
お便り作成モードの処理によると、お便りが未作成の保育画像のうち、お便り用の保育画像として採用するのに適切な保育画像を選択することができる。また、選択した保育画像について、お便りに採用するのに最適な台紙や保育画像等の配置を思考錯誤しながら決定することが可能となる。お便り作成モードでは、これらの保育画像の選択作業とお便り案の配置等の決定作業とを一連の処理で実行することができる。その結果、お便り案を効率よく作成することが可能となる。
【０１０４】
（担当者見解入力モードの処理）
図２８を用いて、Ｓ１９の担当者見解入力モードにおける端末装置１０の処理及び端末装置１０が管理サーバ５０に実行させる処理の流れについて説明する。担当者見解入力モードは、担当者が撮影した保育画像についての担当者の見解を入力（以下、担当者見解入力という）するモードである。担当者見解入力モードでは、担当者見解入力に加えて、付加情報入力モードのお便りコメント以外の自由なコメントを入力することも可能である。
【０１０５】
Ｓ４０１〜Ｓ４０９は、基本的には上述のＳ２０１〜Ｓ２０９と同様であるため、Ｓ２０１〜Ｓ２０９と重複する説明を適宜省略して説明する。なお、担当者見解入力モードは、付加情報入力後に担当者によって行われる。
【０１０６】
Ｓ４０１で、端末装置１０は、ユーザ情報と担当者見解入力モード実行指示を管理サーバ５０に送信する。Ｓ４０２で、管理サーバ５０は、担当者見解入力モード実行指示に応答して、ユーザ情報に基づいて担当者の見解が未入力の保育画像を検索する。
【０１０７】
Ｓ４０３〜Ｓ４０９の後、Ｓ４１０で、管理サーバ５０は、選択された保育画像に関する見解入力画面を表示させるための見解入力画面表示情報を端末装置１０に送信する。Ｓ４１１で、端末装置１０は、見解入力画面表示情報に基づいて、見解入力画面を表示する。見解入力画面表示情報は、選択テーブル情報の一例である。見解入力画面は、「評価用インターフェース」及び「選択テーブル」の一例である。
【０１０８】
図２９及び３０を用いて、見解入力画面について説明する。図２９及び３０の見解入力画面は、「保育指針等に於ける発達の視点」に関する評価項目を有する。具体的には、見解入力画面は、選択された保育画像と、「幼児期の終わりまでに育って欲しい１０の姿」と「５領域」と「３つの視点」とに関する各見解入力項目（評価項目）と、自由コメント欄と、を有する。「幼児期の終わりまでに育って欲しい１０の姿（以下、１０の姿）」は、健康な心と体、自立心、協調性、道徳性・規範意識の芽生え、社会生活との関わり、思考力の芽生え、自然との関わり・生命の尊重、数量・図形・文字等への関心・感覚、言葉による伝え合い及び豊かな感性と表現を含む第１項目群を有する。「５領域」は、健康、人間関係、環境、言葉及び表現を含む第２項目群を有する。「３つの視点」は、身体的発達、社会的発達及び精神的発達を含む第３項目群を有する。また、各項目の下には、その項目が選択された回数の積算値が表示される。本実施形態では、「１０の姿」は原則３項目（４項目まで可）が選択できるように設定され、「５領域」は最大２項目を選択できるように設定される。本実施形態の見解入力画面では、第１〜第３項目群が全て表示されたが、これに限定されず、これらの少なくとも１つが表示されればよい。なお、「１０の姿」の適用対象年齢は原則として３〜５歳児である（２歳児に適用してもよい）。「５領域」の適用対象年齢は１〜２歳児である。「３つの視点」の適用対象年齢は０歳児である。
【０１０９】
Ｓ４１２で、端末装置１０は、各見解入力項目に対する選択入力を受け付けると、これらの選択入力結果を担当者の見解を示す見解情報として生成し、管理サーバ５０に送信する。これにより、後のＳ４１４において管理サーバ５０に検索された保育画像とユーザ情報と見解情報と後述の積算値とを対応付けて記憶させることが可能となる。本実施形態では、見解入力画面中の該当する見解入力項目が選択入力され、その選択入力結果に基づいて見解情報が生成される。そのため、見解情報は、保育指針等に於ける発達の視点に基づいて定められた複数の項目の内容についての評価結果を見解として含む。
【０１１０】
Ｓ４１３で、管理サーバ５０は、検索された保育画像とユーザ情報（選択操作者の識別情報）と見解情報とを対応付けて記憶する。ここでは、見解入力項目に対する選択入力結果がユーザ情報と対応付けられて記憶または登録される。既に選択された見解入力項目が再度選択された場合には、その見解情報は削除される。見解入力項目に対する選択入力結果は、「評価用インターフェース中の項目に関する評価結果」及び「選択テーブル中より選択操作して得られる選択項目情報」の一例である。なお、ユーザ情報の代わりに、そのユーザが利用する端末装置の識別情報が用いられてもよい。
【０１１１】
次に、Ｓ４１４で、管理サーバ５０は、記憶した見解情報に基づいて、選択された見解入力項目の積算値を１だけ増減させる。この積算値は、「項目毎の選択回数を計数して得られる計数値情報」の一例である。本実施形態では、Ｓ４１４の積算値の増減毎に積算値が記憶される。見解情報に基づいて、選択された見解入力項目について記憶された積算値から１だけ増減することにより、積算値が計数される。これに限定されず、Ｓ４１３で保育画像について記憶された各見解情報における各見解入力項目に対する選択回数をＳ４１４毎に計数することにより、積算値が計数されてもよい。本実施形態の「選択された見解入力項目の積算値」は、「肯定的な評価が得られた回数の積算値」の一例である。
【０１１２】
Ｓ４１５で、管理サーバ５０は、入力された見解情報を反映させるように見解入力画面を更新する見解更新情報を端末装置１０に送信する。Ｓ４１６で、端末装置１０は、見解更新情報に基づいて、選択された見解入力項目の積算値を１だけ増減させてその見解入力項目の表示態様を変更するように見解入力画面を更新する。ここでは、未選択の見解入力項目が選択された場合、積算値を１だけ増加させ、その見解入力項目を強調表示（例えば明るく識別表示）する（図３０参照）。一方で、後述するように、既に選択された見解入力項目が再度選択された場合には、積算値を元に戻し（１だけ増加した状態から１だけ減少させる）、その見解入力項目の強調表示を解除して元に戻す。このようにして、選択された保育画像と、選択された見解入力項目と、選択された保育画像に関する項目毎の積算計数結果とが表示される。
【０１１３】
Ｓ４１７で、端末装置１０は、見解情報の入力が完了したかどうかを判定する。ここでは、図３０の見解入力画面中の決定ボタンが選択された場合に、見解情報の入力が完了したと判定される。なお、この決定ボタンは、見解入力項目が未選択の状態では表示されないが（図２９参照）、この未選択の状態から見解入力項目が選択されると、図３０に示すように表示される。ただし、これに限定されず、この決定ボタンは、常に見解入力画面に表示されていてもよい。見解情報の入力が完了した場合（Ｓ４１７のＹ）、本処理はＳ４１８に進むとともに、端末装置１０が完了確認情報を管理サーバ５０に送信し、管理サーバ５０に担当者による見解情報の入力が完了した旨を報知させる（以下、担当者見解入力報知という）。担当者見解入力報知は、管理者端末装置１０ｃに送信される。見解情報の入力が完了していない場合（Ｓ４１７のＮ）、本処理はＳ４１２に戻る。
【０１１４】
Ｓ４１８で、端末装置１０は、自由コメント欄が選択されたかどうかを判定する。ここでは、自由コメント欄が選択されずに、図３０の見解入力画面中の決定ボタンが再度選択された場合に、自由コメント欄が選択されないと判定される。自由コメント欄が選択された場合（Ｓ４１８のＹ）、本処理はＳ４１９に進む。自由コメント欄が選択されない場合（Ｓ４１８のＮ）、本処理はＳ４２３に進む。
【０１１５】
Ｓ４１９〜Ｓ４２２は、基本的には上述のＳ２１７〜Ｓ２２０と同様であるため、Ｓ２１７〜Ｓ２２０と重複する説明を適宜省略して説明する。Ｓ４１９で、端末装置１０は、見解入力画面を介して自由コメントの入力を受け付け、ユーザ情報とコメント情報を管理サーバ５０に送信する。このように、必要に応じ自由コメント欄への入力が可能となり、同僚や閲覧者との意見交換が可能になる。Ｓ４２０で、管理サーバ５０は、検索された保育画像とユーザ情報とを対応付けてコメント情報を記憶する。
【０１１６】
Ｓ４２１〜Ｓ４２２の後、Ｓ４２３で、端末装置１０は、自由コメントの入力が完了したかどうかを判定する。ここでは、見解入力画面中の決定ボタンが選択された場合、自由コメントの入力が完了したと判定される。この決定ボタンは、見解情報の入力の場合と同様に、自由コメント欄が選択された場合に見解情報入力画面に表示されてもよいし、常に表示されていてもよい。自由コメントの入力が完了した場合（Ｓ４２３のＹ）、端末装置１０は入力完了確認を管理サーバ５０に送信し、本処理はＳ４２４に進む。自由コメントの入力が完了していない場合（Ｓ４２３のＮ）、本処理はＳ４１９に戻る。
【０１１７】
Ｓ４２４〜Ｓ４２８は、基本的には上述のＳ２２８〜Ｓ２３２と同様であるため、Ｓ２２８〜Ｓ２３２と重複する説明を適宜省略して説明する。Ｓ４２４では、見解が未入力保育画像の有無が判定される。Ｓ４２６では、見解の入力を継続する場合に本処理がＳ４０２に戻る。
【０１１８】
（同僚見解入力モードの処理）
図３１を用いて、Ｓ２１の同僚見解入力モードにおける端末装置１０の処理及び端末装置１０が管理サーバ５０に実行させる処理の流れについて説明する。同僚見解入力モードは、同僚が提供した場面情報に対して担当者が同僚として見解を入力（以下、同僚見解入力という）するモードである。同僚見解入力モードでは、同僚見解入力に加えて担当者向けにコメントすることも可能である。この場合、コメント入力した結果は担当者に報知される。なお、同僚見解入力が終了すると、自己の見解を入力した担当者に入力結果を報知するために、管理サーバから担当者の端末装置１０に対し「同僚見解入力」の完了が報知される。なお、本実施形態では、同僚見解入力モードは、担当者によって見解情報が入力された後に実行される。これに限定されず、同僚見解入力モードは、担当者による見解情報の入力よりも先に実行されてもよい。
【０１１９】
Ｓ５０１で、端末装置１０は、ユーザ情報と同僚見解入力モード実行指示とを管理サーバ５０に送信する。Ｓ５０２で、管理サーバ５０は、同僚見解入力モード実行指示に応答して、特定の保育画像を検索するための検索メニュー画面を表示させるための検索メニュー画面表示情報を端末装置１０に送信する。
【０１２０】
次に、Ｓ５０３で、端末装置１０は、検索メニュー画面表示情報に基づいて、図３２の検索メニュー画面を表示する。図３２の検索メニュー画面では、担当者、撮影期間、年齢クラス、場面及び季節の検索項目が表示される。本実施形態では、担当者、年齢クラス、場面及び季節は、プルダウン形式で入力され、撮影期間はテキスト形式で入力される。なお、担当者のプルダウンメニューには、管理サーバ５０にユーザ情報が記憶された担当者名が列挙される。検索メニュー画面は、見解情報に関する検索項目を含んでもよい。
【０１２１】
Ｓ５０４で、端末装置１０は、検索条件の入力を受け付けると、その検索条件を管理サーバ５０に送信する。Ｓ５０５で、管理サーバ５０は、検索条件に該当する保育画像であって、見解情報と対応付けられた保育画像を検索する。
【０１２２】
Ｓ５０６〜Ｓ５２６は、基本的には上述のＳ４０３〜Ｓ４２３と同様であるため、Ｓ４０３〜Ｓ４２３と重複する説明を適宜省略して説明する。Ｓ５０６〜Ｓ５１９の後、Ｓ５２０で見解の入力が完了した場合（Ｓ５２０のＹ）、本処理はＳ５２１に進むとともに、端末装置１０が完了確認を管理サーバ５０に送信し、管理サーバ５０に同僚による見解情報の入力が完了した旨を報知させる（以下、同僚見解入力報知という）。同僚見解入力報知は、担当者端末装置１０ａに送信される。
【０１２３】
Ｓ５２１〜Ｓ５２５の後、Ｓ５２６でコメントの入力が完了した場合（Ｓ５２６のＹ）、本処理はＳ５２７に進むとともに、端末装置１０が完了確認情報を管理サーバ５０に送信する。管理サーバ５０は、完了確認情報の受信に応答して、選択された保育画像とその保育画像について入力が完了した見解情報とを対応付けて記憶し、同僚によるコメントが発生した旨を報知する（以下、同僚コメント発生報知という）。同僚コメント発生報知は、担当者端末装置１０ａに送信される。Ｓ５２７〜Ｓ５３０は、上述のＳ４２５〜Ｓ４２８と同様であるため、その説明を省略する。
【０１２４】
（検索閲覧モードの処理）
図３３を用いて、Ｓ２３の検索閲覧モードにおける端末装置１０の処理及び端末装置１０が管理サーバ５０に実行させる処理の流れについて説明する。検索閲覧モードは、管理サーバ５０に記憶した保育画像を検索して、対応付け情報を自由に閲覧可能にするモードである。対応付け情報は、保育画像と、その保育画像とともに対応付けられて管理サーバ５０に記憶された情報（撮影情報、付加情報、見解情報、各コメント等）と、を含む。Ｓ６０１〜Ｓ６１２は、基本的には上述のＳ５０１〜Ｓ５１２と同様であるため、Ｓ５０１〜Ｓ５１２と重複する説明を適宜省略して説明する。Ｓ６０１で、端末装置１０は、情報閲覧モード実行指示を管理サーバ５０に送信する。
【０１２５】
Ｓ６０２〜Ｓ６１２の後、Ｓ６１３で、管理サーバ５０は、Ｓ６１２で選択された保育画像についての検索閲覧画面を表示するための検索閲覧画面表示情報を生成して、端末装置１０に送信する。Ｓ６１３では、管理サーバ５０は、Ｓ６１８での画像識別情報の受信に応答して、画像識別情報によって識別される保育画像に対応付けられた担当者、同僚、管理者、指導者毎の見解情報を統合させる処理を起動する。本実施形態の管理サーバ５０は、「１０の姿」と、「５領域」と、「３つの視点」との評価項目毎に、保育画像に対応付けられた複数の見解情報において評価項目の内容に対して肯定的な評価が得られた回数の積算値を算出することにより、対応付けられた見解情報を統合する。本実施形態の統合情報の表示フォーマットは、サーバ側記憶部６４に記憶されたフォーマット情報に基づいて事前に設定される。
【０１２６】
Ｓ６１３で、端末装置１０は、検索閲覧画面表示情報に基づいて、検索閲覧画面を表示する。検索閲覧画面は、Ｓ６１２で選択された保育画像と、その保育画像についての対応付け情報と、再検索ボタンとを含む。対応付け情報における複数の見解情報は、評価項目毎に統合されることにより統合情報として示される。本実施形態の図３４の統合情報の例では、「１０の姿」と、「５領域」と、「３つの視点」との各評価項目の下に、上記積算値が表示される。また、図３４の統合情報では、自己が選択した評価項目（「協調性」、「思考力の芽生え」、「豊かな感性と表現」、「人間関係」）は、強調表示される。
【０１２７】
図３５、３６を用いて、統合情報の他の例を説明する。図３５の統合情報の例では、統合情報は、見解情報を生成した端末装置１０を利用する者毎に、その者が見解情報の各評価項目の内容に対して肯定的な評価をした項目を示す。具体的には、上述した「１０の姿」に関する１０個の評価項目について、担当者及び複数の同僚の見解情報として、該当する項目に肯定的な評価として○が付される。また、各評価項目について、肯定的な評価の積算値が「計」の欄に記載される。なお、図３５の例では、管理者や園長の評価は示されてないが、管理者や園長が利用する管理者端末装置１０ｃによって見解情報が生成された場合には、管理者や園長の評価結果が示される。このようにして、端末装置１０のユーザ（選択操作者）毎に選択した評価項目が表示される。なお、端末装置１０のユーザが識別できれば、端末装置１０毎に選択した評価項目が表示されてもよい。
【０１２８】
図３６の統合情報の例では、「１０の姿」に関する各評価項目についての見解の積算値の割合を示す円グラフが示される。具体的には、図３６の円グラフの統合情報では、「健康な心と体」、「自立心」、「思考力の芽生え」、「数量・図形」及び「自然との関わり・生命の尊重」が、それぞれ、全体の見解の３０％、１０％、３０％、１０％、２０％を占めることが示される。
【０１２９】
統合情報は、保育画像とともに表示されることが好ましい。これにより、保育画像とその評価結果との対応関係が容易に把握できるため、より効果的に保育等の評価能力の向上が図れる。なお、上述のＳ１１７で複数の保育画像がグループ化された場合、保育画像は重ね合わせ表示される。
【０１３０】
Ｓ６１４で、端末装置１０は、検索閲覧画面表示情報に基づいて、検索閲覧画面を表示する。Ｓ６１５で、端末装置１０は、再検索を実行するかどうかを判定する。ここでは、検索閲覧画面の再検索ボタンが選択された場合に、再検索を実行すると判定される。一方で、検索閲覧画面に表示された終了ボタンが選択された場合に、再検索を実行しないと判定される。再検索を実行すると判定された場合（Ｓ６１５のＹ）、本処理はＳ６１２に戻る。再検索を実行しないと判定された場合（Ｓ６１５のＮ）、本処理はＳ６１６に進む。Ｓ６１６〜Ｓ６１８は、上述のＳ１２３〜Ｓ１２５と同様であるため、その説明を省略する。Ｓ６１８の後、本処理は終了する。
【０１３１】
なお、検索閲覧画面に画像再選択ボタンを設け、Ｓ６１４とＳ６１５との間に、画像を再選択するかどうかを判定する動作を設けてもよい。この場合、検索閲覧画面に画像再選択ボタンが選択された場合に、画像再選択を実行すると判定される。一方で、検索閲覧画面に表示された終了ボタンが選択された場合に、画像再選択を実行しないと判定される。画像再選択を実行すると判定された場合、本処理はＳ６０６に戻ってもよい。画像再選択を実行しないと判定された場合、本処理はＳ６１５に進んでもよい。
【０１３２】
（指導要請モードの処理）
図３７を用いて、Ｓ２５の指導要請モードにおける端末装置１０の処理及び端末装置１０が管理サーバ５０に実行させる処理の流れについて説明する。指導要請モードは、撮影した保育画像に関して管理者以外の保育等の指導者（専門家）にも指導要請ができるようにしたモードである。
【０１３３】
Ｓ７０１〜Ｓ７０９は、基本的には上述のＳ４０１〜Ｓ４０９と同様であるため、Ｓ４０１〜Ｓ４０９と重複する説明を適宜省略して説明する。Ｓ７０１で、ユーザ情報と指導要請モード実行指示とを管理サーバ５０に送信する。Ｓ７０２で、管理サーバ５０は、指導要請モード実行指示に応答して、ユーザ情報に基づいて、そのユーザが撮影した保育画像のうち、指導が未要請の保育画像を検索する。Ｓ７０５では、検索された保育画像のうち、指導を求める保育画像が選択される。
【０１３４】
Ｓ７０３〜Ｓ７０９の後、Ｓ７１０で、管理サーバ５０は、Ｓ７０５で選択された保育画像と指導要請コメント欄とを含む指導要請画面を表示させるための指導要請画面表示情報を端末装置１０に送信する。Ｓ７１１で、端末装置１０は、指導要請画面表示情報に基づいて、指導要請画面を表示する。
【０１３５】
Ｓ７１２〜Ｓ７１６は、基本的には上述のＳ４１９〜Ｓ４２３と同様であるため、Ｓ４１９〜Ｓ４２３と重複する説明を適宜省略して説明する。Ｓ７１２では、指導要請コメント欄に、例えば疑問点や対応策などの指導を求める旨の指導要請コメントが入力される。
【０１３６】
Ｓ７１６で指導要請コメントの入力が完了したと判定された場合（Ｓ７１６のＹ）、本処理はＳ７１７に進む。Ｓ７１７で、管理サーバ５０は、その指導要請を登録する。Ｓ７１８で、管理サーバ５０は、指導要請があった旨を指導者端末装置１０ｄに報知するとともに（以下、指導要請報知）、担当者端末装置１０ａに報知完了情報を送信する。
【０１３７】
Ｓ７１９で、端末装置１０は、指導要請を継続するかどうかを判定する。ここでは、例えば、指導要請画面中に表示された指導要請継続ボタンが選択された場合、指導要請を継続すると判定される。一方で、指導要請画面中に表示された完了ボタンが選択された場合、指導要請を継続しないと判定される。指導要請を継続すると判定された場合（Ｓ７１９のＹ）、本処理はＳ７０２に戻る。指導要請を継続しないと判定された場合（Ｓ７１９のＮ）、本処理はＳ７２０に進む。Ｓ７２０〜Ｓ７２２は、上述のＳ１２３〜Ｓ１２５と同様であるため、その説明を省略する。Ｓ７２２の後、本処理は終了する。
【０１３８】
（担当者研修モードの処理）
図３８を用いて、Ｓ２７の担当者研修モードにおける端末装置１０の処理及び端末装置１０が管理サーバ５０に実行させる処理の流れについて説明する。担当者研修モードは、上述した園内研修会で担当者端末装置１０ａによって利用されるモードである。Ｓ８０１ａで、担当者端末装置１０ａは、ユーザ情報と担当者研修モード実行指示とを管理サーバ５０に送信する。Ｓ８０２ａで、管理サーバ５０は、ユーザ情報に基づいて、担当者研修画面を表示するための担当者研修画面表示情報を担当者端末装置１０ａに送信する。ここでは、後述する管理者研修モードにおいて管理者端末装置１０ｃによって園内研修用に選定された保育画像に対応付けられたユーザと、担当者端末装置１０ａのユーザ情報によって識別されるユーザとが一致する場合、上記選定された保育画像を含む担当者研修画面が生成される。Ｓ８０３ａで、担当者端末装置１０ａは、担当者研修画面表示情報に基づいて、担当者研修画面を表示する。担当者研修画面は、ユーザ情報に示されるユーザの保育画像のうち、現在園内研修で利用されている保育画像と、その担当者の項目毎の見解情報と、を含む。
【０１３９】
Ｓ８０４ａで、担当者端末装置１０ａは、見解の入力がなされたかどうかを判定する。見解が入力されたと判定された場合（Ｓ８０４ａのＹ）、本処理はＳ８０５ａに進む。見解が入力されないと判定された場合（Ｓ８０４ａのＮ）、本処理はＳ８０７ａに進む。Ｓ８０５ａ及び８０６ａは、上述のＳ４１３及びＳ４１４と同様であるため、その説明を省略する。Ｓ８０４ａ〜Ｓ８０６ａでは、担当者端末装置１０ａのユーザは、研修の内容を基に、自己の見解を新たに入力したり、見解を変更することができる。Ｓ８０７ａ〜Ｓ８０９ａは、上述のＳ１２３〜Ｓ１２５と同様であるため、その説明を省略する。なお、本実施形態では、自己の見解情報が表示されたが、これに限定されず、統合情報が表示されてもよい。
【０１４０】
（応答確認モードの処理）
次に、Ｓ３０の応答確認モードにおける端末装置１０の処理及び端末装置１０が管理サーバ５０に実行させる処理の流れについて説明する。応答確認モードは、自己が撮影した保育画像について、主任や同僚からの応答が発生した場合に対応するモードである。
【０１４１】
まず、図３９を用いて、担当者端末装置１０ａが管理者端末装置１０ｃから後述のお便り承認報知を受信した場合の応答確認モードの処理について説明する。担当者端末装置１０ａがお便り承認報知を受信すると、端末装置１０にお便り承認報知に関するアイコンが表示され、選択モードにおいて応答確認モードが選択可能になる。選択モードにおいて応答確認モードが選択された場合、Ｓ９０１で、担当者端末装置１０ａは、承認済みのお便りの閲覧要求を管理サーバ５０に送信する。このお便りの閲覧要求は、お便り承認報知の識別情報を含む。
【０１４２】
Ｓ９０２で、管理サーバ５０は、お便りの閲覧要求におけるお便り承認報知の識別情報に基づいて、お便り承認報知の対象となった承認済みのお便りを表示する承認済みお便り表示画面を表示させるための承認済みお便り表示情報を端末装置１０に送信する。Ｓ９０３で、端末装置１０は、承認済みお便り表示情報に基づいて、承認済みお便り表示画面を表示する。
【０１４３】
Ｓ９０４で、端末装置１０は、承認済みのお便りの確認が完了したかどうかを判定する。ここでは、承認済みお便り表示画面中の確認ボタンが選択されることにより、承認済みのお便りの確認が完了したと判定される。確認が完了したと判定された場合（Ｓ９０４のＹ）、本処理はＳ９０５に進む。確認が完了していないと判定された場合（Ｓ９０４のＮ）、本処理はＳ９０４に戻り、確認が完了するまでＳ９０４を繰り返す。
【０１４４】
Ｓ９０５で、端末装置１０は、確認が完了した承認済みのお便りの印刷を指示するお便り印刷指示を管理サーバ５０に送信する。Ｓ９０６で、管理サーバ５０は、お便り印刷指示に基づいて、確認が完了した承認済みのお便りを印刷させるためのお便り表示情報をプリンタ７０に転送し、プリンタ７０にこのお便りを印刷させる。ここでは、例えばＡ３サイズのお便りが印刷される。お便りは園内の掲示版に例えば１６時までに掲示される。Ｓ９０７〜Ｓ９０９は、上述のＳ１２３〜Ｓ１２５と同様であるため、その説明を省略する。Ｓ９０９の後、本処理は終了する。
【０１４５】
次に、図４０を用いて、担当者端末装置１０ａが同僚端末装置１０ｂ又は管理者端末装置１０ｃから同僚コメント発生報知又は後述の管理者コメント発生報知を受信した場合の応答確認モードの処理について説明する。同僚又は管理者コメント発生報知を受信すると、端末装置１０に同僚又は管理者コメント発生報知に関するアイコンが表示され、選択モードにおいて応答確認モードが選択可能になる。選択モードにおいて応答確認モードが選択された場合、Ｓ１００１で、担当者端末装置１０ａは、入力されたコメントの閲覧要求を管理サーバ５０に送信する。このコメントの閲覧要求は、同僚又は管理者コメント発生報知の識別情報を含む。
【０１４６】
Ｓ１００２で、管理サーバ５０は、コメントの閲覧要求における同僚又は管理者コメント発生報知の識別情報に基づいて、同僚又は管理者コメント発生報知に対応する報知コメント画面を表示させるための報知コメント画面表示情報を端末装置１０に送信する。この報知コメント表示画面は、同僚又は管理者コメント発生報知の対象となったコメントと、そのコメントに対応付けられた保育画像と、応答コメント欄と、応答ボタンとを含む。Ｓ１００３で、端末装置１０は、報知コメント画面表示情報に基づいて、報知コメント画面を表示する。
【０１４７】
Ｓ１００４で、端末装置１０は、報知されたコメントに応答するかどうかを判定する。ここでは、報知コメント画面中の応答ボタンが選択された場合に、報知されたコメントに応答すると判定される。報知されたコメントに応答すると判定された場合、本処理はＳ１００５に進む。報知されたコメントに応答しないと判定された場合、本処理が終了する。
【０１４８】
Ｓ１００５〜Ｓ１００９は、基本的には上述のＳ４１９〜Ｓ４２３と同様であるため、Ｓ４１９〜Ｓ４２３と重複する説明を適宜省略して説明する。Ｓ１００５〜Ｓ１００９では、応答コメントが入力される。なお、コメントに対する応答コメントは、連続表示できるようにグループ化され、管理サーバ５０において紐付け記憶される。Ｓ１００９で、応答コメントが完了したと判定された場合、端末装置１０は応答完了情報を管理サーバ５０に送信する。Ｓ１０１０で、管理サーバ５０は、応答コメントが発生した旨を同僚コメント又は管理者コメントを入力した同僚端末装置１０ｂ又は管理者端末装置１０ｃに報知する（以下、応答コメント発生報知という）。Ｓ１０１１〜Ｓ１０１３は、上述のＳ１２３〜Ｓ１２５と同様であるため、その説明を省略する。Ｓ１０１３の後、本処理は終了する。なお、閲覧終了後も未閲覧のコメントが残っている場合は端末装置１０での報知表示のアイコンが消えず、コメントの閲覧要求を再度行うことにより次のコメントを閲覧することができる。
【０１４９】
次に、図４１を用いて、担当者端末装置１０ａが同僚見解入力報知、後述の管理者見解入力報知又は指導者見解入力報知（以下、これらをまとめて見解入力報知という）を受信した場合の応答確認モードの処理について説明する。これらの見解入力報知を受信すると、端末装置１０にその見解入力報知に関するアイコンが表示され、モード選択画面において応答確認モードが選択可能になる。応答確認モードが選択された場合、Ｓ１１０１で、担当者端末装置１０ａは、入力された見解の閲覧要求を管理サーバ５０に送信する。この見解の閲覧要求は、その見解入力報知の識別情報を含む。
【０１５０】
Ｓ１１０２で、管理サーバ５０は、見解の閲覧要求における見解入力報知の識別情報に基づいて、見解閲覧入力画面を表示するための見解閲覧入力画面表示情報を生成し、担当者端末装置１０ａに送信する。Ｓ１１０３で、端末装置１０は、見解閲覧入力画面表示情報に基づいて、見解閲覧入力画面を表示する。本実施形態の見解閲覧入力画面は、見解入力報知の対象の保育画像と、その保育画像に対応付けられた見解情報を統合した統合情報と、を含む。統合情報において、自己の見解として選択入力した項目は、強調表示される。
【０１５１】
Ｓ１１０４〜Ｓ１１０９は、基本的には上述のＳ４１２〜Ｓ４１７と同様であるため、Ｓ４１２〜Ｓ４１７と重複する説明を適宜省略して説明する。Ｓ１１０４〜Ｓ１１０９では、担当者は、他人の見解を参考にしながら、自身の見解を再検討し、その見解を変更することができる。
【０１５２】
Ｓ１１０９で見解情報の入力が完了したと判定された場合、本処理はＳ１１１０に進む。Ｓ１１１０〜Ｓ１１１２は、上述のＳ１２３〜Ｓ１２５と同様であるため、その説明を省略する。Ｓ１１１２の後、本処理は終了する。なお、閲覧終了後も未閲覧の（閲覧要求をしていない）管理者または同僚の見解情報が残っている場合はモード選択画面で端末装置の応答報知のアイコン表示が消えず、再度応答確認モードを選択することにより次の管理者または同僚の見解情報を閲覧することができる。
【０１５３】
（管理者端末装置の処理）
次に、図４２を用いて、管理者端末装置１０ｃの処理Ｓ２について説明する。Ｓ４１で、管理者端末装置１０ｃが起動されると、Ｓ４１で、管理者端末装置１０ｃは、モード選択画面を表示し、実行モードの選択入力を受け付けることにより、実行モードを設定する。ここでは、管理者端末装置１０ｃは、管理者端末装置１０ｃが起動時に管理サーバ５０にモード選択画面要求を送信して、モード選択画面表示情報を受信する。管理者端末装置１０ｃのモード選択画面には、アップロード確認モード、お便り案承認モード、管理者見解入力モード、指導コメント入力モード、共有化判定モード、管理者閲覧モード、統計モード、研修モード、及び終了モードが表示される。アップロード確認モード、お便り案承認モード、管理者見解入力モード、指導コメント入力モード、共有化判定モードは、各々の報知を受けた場合のみに選択可能になってもよい。
【０１５４】
Ｓ４２で、管理者端末装置１０ｃは、アップロード報知を受けたかどうかを判定する。アップロード報知を受けた場合（Ｓ４２のＹ）、処理Ｓ２はＳ４３に進む。アップロード報知を受けていない場合（Ｓ４２のＮ）、処理Ｓ２はＳ４５に進む。
【０１５５】
Ｓ４３で、管理者端末装置１０ｃは、実行モードがアップロード確認モードであるかどうかを判定する。アップロード確認モードである場合（Ｓ４３のＹ）、処理Ｓ２はＳ４４に進む。アップロード確認モードではない場合（Ｓ４３のＮ）、処理Ｓ２はＳ４５に進む。Ｓ４４で、管理者端末装置１０ｃは、アップロード確認モードの処理を実行する。アップロード確認モードの処理の詳細については後述する。その後、処理Ｓ２はＳ４５に進む。
【０１５６】
Ｓ４５で、管理者端末装置１０ｃは、お便り案報知を受けたかどうかを判定する。お便り案報知を受けた場合（Ｓ４５のＹ）、処理Ｓ２はＳ４６に進む。お便り案報知を受けていない場合（Ｓ４５のＮ）、処理Ｓ２はＳ４８に進む。
【０１５７】
Ｓ４６で、管理者端末装置１０ｃは、実行モードがお便り案承認モードであるかどうかを判定する。お便り案承認モードである場合（Ｓ４６のＹ）、処理Ｓ２はＳ４７に進む。お便り案承認モードではない場合（Ｓ４６のＮ）、処理Ｓ２はＳ４８に進む。Ｓ４７で、管理者端末装置１０ｃは、お便り案承認モードの処理を実行する。お便り案承認モードの処理の詳細については後述する。その後、処理Ｓ２は４８に進む。
【０１５８】
Ｓ４８で、管理者端末装置１０ｃは、担当者見解入力報知を受けたかどうかを判定する。担当者見解入力報知を受けた場合（Ｓ４８のＹ）、処理Ｓ２はＳ４９に進む。担当者見解入力報知を受けていない場合（Ｓ４８のＮ）、処理Ｓ２はＳ５１に進む。
【０１５９】
Ｓ４９で、管理者端末装置１０ｃは、実行モードが管理者見解入力モードであるかどうかを判定する。管理者見解入力モードである場合（Ｓ４９のＹ）、処理Ｓ２はＳ５０に進む。管理者見解入力モードではない場合（Ｓ４９のＮ）、処理Ｓ２はＳ５１に進む。Ｓ５０で、管理者端末装置１０ｃは、管理者見解入力モードの処理を実行する。管理者見解入力モードの処理の詳細については後述する。その後、処理Ｓ２はＳ５１に進む。
【０１６０】
Ｓ５１で、管理者端末装置１０ｃは、指導コメント報知を受けたかどうかを判定する。指導コメント報知を受けた場合（Ｓ５１のＹ）、処理Ｓ２はＳ５２に進む。指導コメント報知を受けていない場合（Ｓ５１のＮ）、処理Ｓ２はＳ５４に進む。
【０１６１】
Ｓ５２で、管理者端末装置１０ｃは、実行モードが指導コメント入力モードであるかどうかを判定する。指導コメント入力モードである場合（Ｓ５２のＹ）、処理Ｓ２はＳ５３に進む。指導コメント入力モードではない場合（Ｓ５２のＮ）、処理Ｓ２はＳ５４に進む。Ｓ５３で、管理者端末装置１０ｃは、指導コメント入力モードの処理を実行する。指導コメント入力モードの処理の詳細については後述する。その後、処理Ｓ２はＳ５４に進む。
【０１６２】
Ｓ５４で、管理者端末装置１０ｃは、後述の共有化推薦報知を受けたかどうかを判定する。共有化推薦報知を受けた場合（Ｓ５４のＹ）、処理Ｓ２はＳ５５に進む。共有化推薦報知を受けていない場合（Ｓ５４のＮ）、処理Ｓ２はＳ５７に進む。
【０１６３】
Ｓ５５で、管理者端末装置１０ｃは、実行モードが共有化判定モードであるかどうかを判定する。共有化判定モードである場合（Ｓ５５のＹ）、処理Ｓ２はＳ５６に進む。共有化判定モードではない場合（Ｓ５５のＮ）、処理Ｓ２はＳ５７に進む。Ｓ５６で、管理者端末装置１０ｃは、共有化判定モードの処理を実行する。共有化判定モードの処理の詳細については後述する。その後、処理Ｓ２はＳ５７に進む。
【０１６４】
Ｓ５７で、管理者端末装置１０ｃは、実行モードが管理者閲覧モードであるかどうかを判定する。管理者閲覧モードである場合（Ｓ５７のＹ）、処理Ｓ２はＳ５８に進む。管理者閲覧モードではない場合（Ｓ５７のＮ）、処理Ｓ２はＳ５９に進む。Ｓ５８で、管理者端末装置１０ｃは、管理者閲覧モードの処理を実行する。管理者閲覧モードの処理の詳細については後述する。その後、処理Ｓ２はＳ５９に進む。
【０１６５】
Ｓ５９で、管理者端末装置１０ｃは、実行モードが統計モードであるかどうかを判定する。統計モードである場合（Ｓ５９のＹ）、処理Ｓ２はＳ６０に進む。統計モードではない場合（Ｓ５９のＮ）、処理Ｓ２はＳ６１に進む。Ｓ６０で、管理者端末装置１０ｃは、統計モードの処理を実行する。統計モードの処理の詳細については後述する。その後、処理Ｓ２はＳ６１に進む。
【０１６６】
Ｓ６１で、管理者端末装置１０ｃは、実行モードが管理者研修モードであるかどうかを判定する。管理者研修モードである場合（Ｓ６１のＹ）、処理Ｓ２はＳ６２に進む。管理者研修モードではない場合（Ｓ６１のＮ）、処理Ｓ２はＳ６３に進む。Ｓ６２で、管理者端末装置１０ｃは、管理者研修モードの処理を実行する。管理者研修モードの処理の詳細については後述する。その後、処理Ｓ２はＳ６３に進む。
【０１６７】
Ｓ６３で、管理者端末装置１０ｃは、実行モードが終了モードであるかどうかを判定する。終了モードである場合（Ｓ６３のＹ）、処理Ｓ２は終了する。終了モードではない場合（Ｓ６３のＮ）、処理Ｓ２はＳ４２に戻る。
【０１６８】
（アップロード確認モードの処理）
図４３を用いて、Ｓ４４のアップロード確認モードにおける管理者端末装置１０ｃの処理及び管理者端末装置１０ｃが管理サーバ５０に実行させる処理の流れについて説明する。アップロード確認モードは、アップロードされた保育画像にお便りに使用すべきではない保育画像が含まれてないか確認するためのモードである。Ｓ１２０１で、管理者端末装置１０ｃは、ユーザ情報とアップロード確認モード実行指示とを管理サーバ５０に送信する。Ｓ１２０２で、管理サーバ５０は、アップロード確認モード実行指示を受信したことに応答して、ユーザ情報に基づいて、そのユーザが管理する保育画像のうち、そのユーザが未承認の保育画像を検索する。
【０１６９】
Ｓ１２０３〜Ｓ１２０４は、上述のＳ２０３〜Ｓ２０４と同様であるため、その説明を省略する。Ｓ１２０３〜Ｓ１２０４の後、Ｓ１２０５で、管理者端末装置１０ｃは、未承認の保育画像について、承認する旨又は承認しない旨の判定入力を受け付けると、その判定結果を管理サーバ５０に送信する。ここでは、非公開園児や喧嘩場面等の不適切画像の映り込みがないかチェックし、お便り用の保育画像に使用しないよう事前チェックする。例えば、画像選択画面中において、保育画像の子画面の下に表示された「承認する」ボタンが選択された場合には、承認する旨の判定がなされる。一方で、保育画像の子画面の下に表示された「承認しない」ボタンが選択された場合には、承認しない旨の判定がなされる。
【０１７０】
Ｓ１２０６で、管理サーバ５０は、保育画像に対する判定結果を記憶する。Ｓ１２０７で、管理サーバ５０は、各保育画像について、承認したこと又は承認しないことを示す承認識別情報を生成し、管理者端末装置１０ｃに送信する。Ｓ１２０８で、管理者端末装置１０ｃが承認識別情報を受信すると、管理者端末装置１０ｃは、承認識別情報に基づいて、Ｓ１２０５での判定結果を保育画像の子画面に表示することにより、判定結果を強調表示する。ここでは、各保育画像の子画面に判定結果（「承認する」又は「承認しない」）の識別表示を付加する。
【０１７１】
Ｓ１２０９で、保育画像の承認可否の判定が完了したかどうかを判定する。ここでは、承認可否の判定が完了した旨の選択肢と承認可否の判定が完了していない旨の選択肢が表示され、その選択肢に対するユーザ入力に基づいて完了したかどうかが判定される。完了したと判定された場合（Ｓ１２０９のＹ）、端末装置１０は完了確認を管理サーバ５０に送信し、本処理はＳ１２１０に進む。完了していないと判定された場合、本処理はＳ１２０５に戻る。
【０１７２】
Ｓ１２１０で、管理サーバ５０は、未承認の保育画像があるかどうかを判定する。未承認の保育画像がある場合（Ｓ１２１０のＹ）、本処理はＳ１２０２に戻る。未承認の保育画像がない場合（Ｓ１２１０のＮ）、本処理はＳ１２１１に進む。Ｓ１２１１〜Ｓ１２１３は、上述のＳ１２３〜Ｓ１２５と同様であるため、その説明を省略する。
【０１７３】
（お便り案承認モードの処理）
図４４を用いて、Ｓ４７のお便り案承認モードにおける管理者端末装置１０ｃの処理及び管理者端末装置１０ｃが管理サーバ５０に実行させる処理の流れについて説明する。お便り案承認モードは、提示されたお便り案を承認するかどうかを決定するためのモードである。Ｓ１３０１で、管理者端末装置１０ｃは、ユーザ情報とお便り案承認モード実行指示とを管理サーバ５０に送信する。Ｓ１３０２で、管理サーバ５０は、お便り案承認モード実行指示を受信したことに応答して、ユーザ情報に基づいて、そのユーザが管理するお便り案のうち、そのユーザが未承認のお便り案を検索する。Ｓ１３０３で、管理サーバ５０は、Ｓ１３０２で検索されたお便り案を含むお便り案画面を表示させるためのお便り案表示情報を生成し、管理者端末装置１０ｃに送信する。Ｓ１３０４で、管理者端末装置１０ｃは、お便り案表示情報に基づいて、お便り案画面を表示する。お便り案画面は、お便り案の保育画像、タイトル及びコメントと、確認ボタンと、消去する」ボタンと、「消去しない」ボタンと、「承認」ボタンと、「承認しない」ボタンとを含む。
【０１７４】
Ｓ１３０５で、管理者端末装置１０ｃは、お便り案画面において保育画像が選択されたかどうかを判定する。ここでは、保育画像の選択入力がなされた場合に、保育画像が選択されたと判定される。一方で、お便り案画面中の確認ボタンが選択された場合には、保育画像が選択されないと判定される。保育画像が選択されたと判定された場合（Ｓ１３０５のＹ）、本処理はＳ１３０６に進む。保育画像が選択されないと判定された場合（Ｓ１３０５のＮ）、本処理はＳ１３１９に進む。
【０１７５】
Ｓ１３０６〜Ｓ１３０７は、基本的には上述のＳ２０７〜Ｓ２０８と同様であるため、その説明を省略する。次に、Ｓ１３０８で、端末装置１０は、選択された画像を消去するかどうかを判定する。ここでは、お便り案画面中の「消去する」ボタンが選択された場合、選択された画像を消去すると判定される。一方で、お便り案画面中の「消去しない」ボタンが選択された場合、選択された画像を消去しないと判定される。消去すると判定された場合（Ｓ１３０８のＹ）、管理者端末装置１０ｃは消去決定情報を管理サーバ５０に送信し、本処理はＳ１３０９に進む。消去しないと判定された場合（Ｓ１３０８のＮ）、本処理はＳ１３０５に戻る。
【０１７６】
Ｓ１３０９で、管理サーバ５０は、消去決定情報に基づいて、お便り案において、消去が決定された保育画像をブランク（空欄）にするようにブランク付きお便り画面を表示させるブランク付きお便り画面表示情報を生成し、管理者端末装置１０ｃに送信する。このとき、管理サーバ５０は上述のＳ３０６でのお便りの採用を取り消す。Ｓ１３１０で、管理者端末装置１０ｃは、ブランク付きお便り画面表示情報に基づいて、ブランク付きお便り画面を表示する。Ｓ１３１１で、管理者端末装置１０ｃは、消去した保育画像に対する差し替え用の保育画像の検索指示を管理サーバ５０に送信する。
【０１７７】
Ｓ１３１２で、管理サーバ５０は、差し替え用の保育画像の検索指示に応答して、保育画像を検索する。ここでは、消去した保育画像に対応するお便り案を作成したユーザが当日撮影した保育画像であって、お便り案で採用されなかった保育画像が検索される。
【０１７８】
Ｓ１３１３〜Ｓ１３１８で、基本的には上述のＳ３０３〜Ｓ３０８と同様であるため、Ｓ３０３〜Ｓ３０８と重複する説明を適宜省略して説明する。Ｓ１３１６で、管理サーバ５０は、Ｓ１３１５で選択された保育画像をお便りの差し替え用保育画像として採用し、これを記憶する。Ｓ１３１７で、管理サーバ５０は、ブランク付きお便り画面中のブランクに差し替え用保育画像を表示した修正お便り画面を表示させるための修正お便り画面表示情報を生成し、管理者端末装置１０ｃに送信する。Ｓ１３１８で、管理者端末装置１０ｃは、修正お便り画面表示情報に基づいて、修正お便り画面を表示する。
【０１７９】
次に、Ｓ１３１９で、管理者端末装置１０ｃは、お便り案画面又は修正お便り画面中のタイトル欄が選択されたかどうかを判定する。タイトル欄が選択されたと判定された場合（Ｓ１３１９のＹ）、本処理はＳ１３２０に進む。タイトル欄が選択されないと判定された場合（Ｓ１３１９のＮ）、本処理はＳ１３２４に進む。
【０１８０】
Ｓ１３２０〜Ｓ１３２３は、基本的には上述のＳ２１７〜Ｓ２２０と同様であるため、Ｓ２１７〜Ｓ２２０と重複する説明を適宜省略して説明する。Ｓ１３２０〜Ｓ１３２３においては、タイトルを修正することが可能となる。管理者がタイトルを修正すると、担当者名が管理者に変更される。
【０１８１】
次に、Ｓ１３２４で、管理者端末装置１０ｃは、お便り案画面又は修正お便り画面中のお便りコメント欄が選択されたかどうかを判定する。お便りコメント欄が選択されたと判定された場合（Ｓ１３２４のＹ）、本処理はＳ１３２５に進む。お便りコメント欄が選択されないと判定された場合（Ｓ１３２４のＮ）、本処理はＳ１３２９に進む。
【０１８２】
Ｓ１３２５〜Ｓ１３２８は、基本的には上述のＳ２２３〜Ｓ２２６と同様であるため、Ｓ２２３〜Ｓ２２６と重複する説明を適宜省略して説明する。Ｓ１３２５〜Ｓ１３２８においては、お便りコメントを修正することが可能となる。
【０１８３】
次に、Ｓ１３２９で、管理者端末装置１０ｃは、お便り案が承認されるかどうかを判定する。ここでは、お便り案画面又は修正お便り画面中の「承認する」ボタンが選択された場合に、お便り案が承認されたと判定される。一方で、お便り案画面又は修正お便り画面中の「承認しない」ボタンが選択された場合に、お便り案が承認されないと判定される。お便り案が承認されると判定された場合（Ｓ１３２９のＹ）、管理者端末装置１０ｃは、承認完了情報を管理サーバ５０に送信し、本処理はＳ１３３０に進む。お便り案が承認されないと判定された場合（Ｓ１３２９のＮ）、本処理はＳ１３０５に戻る。
【０１８４】
Ｓ１３３０で、管理サーバ５０は、承認完了情報に応答して、お便り承認報知を担当者端末装置１０ａに行う。Ｓ１３３１で、管理サーバ５０は、未承認のお便り案があるかどうかを判定する。未承認のお便りがある場合（Ｓ１３３１のＹ）、本処理はＳ１３０２に戻る。未承認のお便りがない場合（Ｓ１３３１のＮ）、本処理はＳ１３３２に進む。Ｓ１３３２〜Ｓ１３３４は、上述のＳ１２３〜Ｓ１２５と同様であるため、その説明を省略する。
【０１８５】
（管理者見解入力モードの処理）
図４５を用いて、Ｓ５０の管理者見解入力モードにおける管理者端末装置１０ｃの処理及び管理者端末装置１０ｃが管理サーバ５０に実行させる処理の流れについて説明する。管理者見解入力モードは、担当者が提供した保育画像に対する管理者の見解を入力（以下、管理者見解入力という）するモードである。Ｓ１４０１で、管理者端末装置１０ｃは、受信した担当者見解入力報知を識別するための担当者報知識別情報を管理サーバ５０に送信する。Ｓ１４０２で、管理サーバ５０は、担当者報知識別情報に基づいて、担当者見解入力報知に対応する管理者見解入力画面を表示させるための管理者見解入力画面表示情報を生成し、管理者端末装置１０ｃに送信する。管理者見解入力画面は、その担当者見解入力報知の対象の保育画像と、その保育画像に対応付けられた見解情報を統合した統合情報と、各見解入力項目と、管理者コメント入力欄と、指導要請コメント入力欄と、共有化ボタンと、完了ボタンとを含む。管理者コメント入力欄は、主に主任が指導目的でコメントを記入する欄である。指導要請コメント欄は、外部の指導者に相談等する目的で管理者等がコメントを記入する欄である。Ｓ１４０３で、管理者端末装置１０ｃは、管理者見解入力画面表示情報に基づいて、管理者見解入力画面を表示する。
【０１８６】
Ｓ１４０４〜Ｓ１４０８は、基本的には上述のＳ４１２〜Ｓ４１６と同様であるため、Ｓ４１２〜Ｓ４１６と重複する説明を適宜省略して説明する。Ｓ１４０４〜Ｓ１４０８においては、管理者の見解を入力することが可能となる。Ｓ１４０９で、見解の入力が完了すると、本処理はＳ１４１０に進むとともに、管理者端末装置１０ｃは完了確認を管理サーバ５０に送信し、管理サーバ５０に管理者の見解の入力が完了した旨を報知させる（以下、管理者見解入力完了報知という）。管理者見解入力完了報知は、担当者端末装置１０ａに送信される。
【０１８７】
Ｓ１４１０〜Ｓ１４１５は、基本的には上述のＳ４１８〜Ｓ４２３と同様であるため、Ｓ４１８〜Ｓ４２３と重複する説明を適宜省略して説明する。Ｓ１４１０〜Ｓ１４１５においては、管理者コメントを入力することが可能となる。Ｓ１４１５で、管理者コメントの入力が完了すると、本処理はＳ１４１６に進むとともに、管理者端末装置１０ｃは完了確認情報を管理サーバ５０に送信し、管理サーバ５０に管理者コメントが発生した旨を報知させる（以下、管理者コメント発生報知という）。管理者コメント発生報知は、担当者端末装置１０ａに送信される。
【０１８８】
Ｓ１４１６〜Ｓ１４２１は、基本的には上述のＳ４１８〜Ｓ４２３と同様であるため、Ｓ４１８〜Ｓ４２３と重複する説明を適宜省略して説明する。Ｓ１４２１で、指導要請コメントの入力が完了すると、管理者端末装置１０ｃは、担当者見解入力報知の対象の保育画像について指導を要請する指導要請情報を管理サーバ５０に送信し、本処理はＳ１４２２に進む。Ｓ１４２２で、管理サーバ５０は、指導要請情報の受信に応答して、その対応付け情報について指導要請登録を行うとともに、指導者端末装置１０ｄに対して指導を要請する指導要請報知を行う。
【０１８９】
Ｓ１４２３で、管理者端末装置１０ｃは、その対応付け情報の一部を共有化するかどうかを判定する。ここでは、管理者見解入力画面中の共有化ボタンが選択された場合に、共有化すると判定される。一方で、管理者見解入力画面中の完了ボタンが選択された場合に、共有化しないと判定される。共有化する場合（Ｓ１４２３のＹ）、管理者端末装置１０ｃはその対応付け情報の一部を共有化するための共有化指示を管理サーバ５０に送信し、本処理はＳ１４２４に進む。共有化しない場合（Ｓ１４２３のＮ）、本処理はＳ１４２５に進む。
【０１９０】
Ｓ１４２４で、管理サーバ５０は、共有化指示に基づいて、その共有化指示に対応する対応付け情報を共有化登録するとともに、その対応付け情報の一部から共有情報を生成し、共有サーバ５５に転送する。転送された共有情報は、共有サーバ５５に格納される。本実施形態では、共有情報は、対応付け情報のうち、保育画像と、タイトルと、付加情報と、お便りコメントと、管理者が入力した見解情報と、を含む。その後、管理サーバ５０は共有完了情報を管理者端末装置１０ｃに送信し、本処理はＳ１４２５に進む。Ｓ１４２５〜Ｓ１４２８は、上述のＳ４２５〜Ｓ４２８と同様であるため、その説明を省略する。Ｓ１４２８の後、本処理は終了し、処理Ｓ２はＳ５１に進む。
【０１９１】
（指導コメント閲覧モードの処理）
図４６を用いて、Ｓ５３の指導コメント閲覧モードにおける管理者端末装置１０ｃの処理及び管理者端末装置１０ｃが管理サーバ５０に実行させる処理の流れについて説明する。Ｓ１５０１で、管理者端末装置１０ｃは、指導コメント報知に対応する指導コメントを閲覧するための指導コメント閲覧要求を管理サーバ５０に送信する。Ｓ１５０２で、管理サーバ５０は、指導コメント閲覧要求に基づいて、指導応答画面を表示させるための指導応答画面表示情報を管理者端末装置１０ｃに送信する。Ｓ１５０３で、管理者端末装置１０ｃは、指導応答画面表示情報に基づいて、指導応答画面を表示する。指導応答画面は、その指導コメントと、指導コメントに対応付けられた保育画像と、共有推薦欄情報と、応答コメント欄と、を含む。
【０１９２】
Ｓ１５０４〜Ｓ１５０９は、基本的には上述のＳ４１８〜Ｓ４２３と同様であるため、Ｓ４１８〜Ｓ４２３と重複する説明を適宜省略して説明する。Ｓ１５０４〜Ｓ１５０９においては、指導コメントに対する応答コメントを入力することが可能となる。Ｓ１５０４で、応答コメント欄が選択されない場合、管理者端末装置１０ｃは、指導コメントの確認の完了を示す確認完了情報を管理サーバ５０に送信するとともに、本処理はＳ１５０９に進む。Ｓ１５０９で、応答コメントの入力が完了すると、管理者端末装置１０ｃは、応答コメント発生情報を管理サーバ５０に送信し、本処理はＳ１５１０に進む。
【０１９３】
Ｓ１５１０で、管理サーバ５０は、応答コメント発生情報に応答して、応答コメントが発生した旨を報知する（以下、応答コメント発生報知という）。応答コメント発生報知は、指導者端末装置１０ｄに送信される。Ｓ１５１１で、管理サーバ５０は、管理者端末装置１０ｃにおいて閲覧されていない指導コメントがあるかどうかを判定する。閲覧されていない指導コメントがある場合（Ｓ１５１１のＹ）、本処理はＳ１５０２に戻る。閲覧されていない指導コメントがない場合（Ｓ１５１１のＮ）、本処理はＳ１５１２に進む。Ｓ１５１２〜Ｓ１５１４は、上述のＳ１２３〜Ｓ１２５と同様であるため、その説明を省略する。Ｓ１５１４の後、本処理は終了し、処理Ｓ２はＳ５４に進む。
【０１９４】
（共有化判定モードの処理）
図４７を用いて、Ｓ５６の共有化判定モードにおける管理者端末装置１０ｃの処理及び管理者端末装置１０ｃが管理サーバ５０に実行させる処理の流れについて説明する。共有化判定モードは、共有化推薦がされた対応付け情報の一部を共有化するかどうかを判定するためのモードである。Ｓ１６０１で、管理者端末装置１０ｃは、共有化判定モード実行指示を管理サーバ５０に送信する。Ｓ１６０２で、管理サーバ５０は、共有化判定モード実行指示に応答して、共有化推薦画面を表示させるための共有化推薦画面表示情報を管理者端末装置１０ｃに送信する。なお、共有化が推薦された保育画像が複数ある場合には、撮影日時が古い保育画像が優先して表示される。Ｓ１６０３で、管理者端末装置１０ｃは、共有化推薦画面表示情報に基づいて、共有化推薦画面を表示する。共有化推薦画面は、共有化が推薦された対応付け情報と、「共有化する」ボタンと、「共有化しない」ボタンと、を含む。
【０１９５】
Ｓ１６０４で、管理者端末装置１０ｃは、その対応付け情報の一部を共有化するかどうかを判定する。ここでは、共有化推薦画面中の「共有化する」ボタンが選択された場合に、共有化すると判定される。一方で、共有化推薦画面中の「共有化しない」ボタンが選択された場合に、共有化しないと判定される。共有化すると判定された場合（Ｓ１６０４のＹ）、その対応付け情報の共有化指示を管理サーバ５０に送信するとともに、本処理はＳ１６０５に進む。共有化されないと判定された場合（Ｓ１６０４のＮ）、本処理はＳ１６０６に進む。Ｓ１６０５は、上述のＳ１４２４と同様であるため、その説明を省略する。Ｓ１６０５の後、本処理はＳ１６０６に進む。
【０１９６】
Ｓ１６０６で、管理者端末装置１０ｃは、共有化の判定を継続するかどうかを判定する。ここでは、共有化判定を継続する旨の選択肢と共有化判定を継続しない旨の選択肢が表示され、その選択肢に対するユーザ入力に基づいて継続するかどうかが判定される。継続すると判定された場合（Ｓ１６０６のＹ）、共有化判定継続指示を管理サーバ５０に送信し、本処理はＳ１６０７に進む。継続しないと判定された場合（Ｓ１６０６のＮ）、本処理はＳ１６０８に進む。
【０１９７】
Ｓ１６０７で、管理サーバ５０は、他に共有化推薦がされた対応付け情報があるかどうかを判定する。他に共有化推薦がされた対応付け情報がある場合（Ｓ１６０７のＹ）、本処理はＳ１６０２に戻る。他に共有化推薦がされた対応付け情報がない場合（Ｓ１６０７のＮ）、本処理はＳ１６０８に進む。Ｓ１６０８〜Ｓ１６１０は、上述のＳ１２３〜Ｓ１２５と同様であるため、その説明を省略する。Ｓ１６１０の後、本処理は終了し、処理Ｓ２はＳ５７に進む。
【０１９８】
（管理者閲覧入力モードの処理）
図４８を用いて、Ｓ５８の管理者閲覧入力モードにおける管理者端末装置１０ｃの処理及び管理者端末装置１０ｃが管理サーバ５０に実行させる処理の流れについて説明する。管理者閲覧入力モードは、管理者端末装置１０ｃにおいて、管理サーバ５０に記憶した保育画像を検索して、その保育画像についての対応付け情報を自由に閲覧可能にするモードである。Ｓ１７０１〜Ｓ１７１４は、基本的には上述のＳ６０１〜Ｓ６１４と同様であるため、Ｓ６０１〜Ｓ６１４と重複する説明を適宜省略して説明する。Ｓ１７０１では、管理者端末装置１０ｃは、ユーザ情報と管理者閲覧入力モード実行指示とを管理サーバ５０に送信する。
【０１９９】
Ｓ１７１５〜Ｓ１７２１は、基本的には上述のＳ１４０９〜Ｓ１４１５と同様であるため、Ｓ１４０９〜Ｓ１４１４と重複する説明を適宜省略して説明する。Ｓ１７２１で管理者コメントが完了したと判定された場合、完了確認情報を管理サーバ５０に送信し、本処理はＳ１７２２に進む。Ｓ１７２２で、管理サーバ５０は、完了確認情報に応答して、管理者コメント発生報知を担当者端末装置１０ａに送信する。Ｓ１７２３〜Ｓ１７２４は、上述のＳ１６０４〜Ｓ１６０５と同様であるため、その説明を省略する。また、Ｓ１７２５〜Ｓ１７３１は、上述のＳ１４１６〜Ｓ１４２２と同様であるため、その説明を省略する。
【０２００】
Ｓ１７３２で、管理者端末装置１０ｃは、指導要請を継続するかどうかを判定する。ここでは、指導要請を継続する旨の選択肢と指導要請を継続しない旨の選択肢が表示され、その選択肢に対するユーザ入力に基づいて継続するかどうかが判定される。継続すると判定された場合（Ｓ１７３２のＹ）、本処理はＳ１７０６に戻る。継続しないと判定された場合（Ｓ１７３２のＮ）、本処理はＳ１７３３に進む。
【０２０１】
Ｓ１７３３で、管理者端末装置１０ｃは、再検索を行うかどうかを判定する。ここでは、再検索を行う旨の選択肢と再検索を行わない旨の選択肢が表示され、その選択肢に対するユーザ入力に基づいて再検索を行うかどうかが判定される。再検索を行うと判定された場合（Ｓ１７３３のＹ）、本処理はＳ１７０２に戻る。再検索を行わないと判定された場合（Ｓ１７３３のＮ）、管理者端末装置１０ｃは閲覧完了情報を管理サーバ５０に送信し、本処理はＳ１７３４に進む。Ｓ１７３４〜Ｓ１７３６は、上述のＳ１２３〜Ｓ１２５と同様であるため、その説明を省略する。Ｓ１７３６の後、本処理は終了し、処理Ｓ２はＳ５９に進む。
【０２０２】
（統計モードの処理）
図４９を用いて、Ｓ６０の統計モードにおける管理者端末装置１０の処理及び管理者端末装置１０が管理サーバ５０に実行させる処理の流れについて説明する。統計モードは、指定した統計条件に該当する保育画像に対応付けられた見解情報の統計をとるモードである。具体的には、指定した統計条件に該当する保育画像の各々についての見解情報において、項目の内容に対して肯定的な評価が得られた回数の項目毎の集計結果（後述の図５２の円グラフ等）が出力される。
【０２０３】
Ｓ１８０１で、管理者端末装置１０ｃは、統計モード実行指示を管理サーバ５０に送信する。Ｓ１８０２で、管理サーバ５０は、統計モード実行指示に応答して、統計選択メニュー画面を表示させるための統計選択メニュー画面表示情報を管理者端末装置１０ｃに送信する。
【０２０４】
Ｓ１８０３で、管理者端末装置１０ｃは、統計選択メニュー画面表示情報に基づいて、図５０の統計選択メニュー画面を表示する。図５２の統計選択メニュー画面は、統計対象Ｇｒ（グループ）、比較対象Ｇｒ、担当者、比較担当者、統計単位期間、統計開始、統計終了、選択期間、評価視点、統計対象画像及び表示形態に関する項目と、決定ボタンとを含む。本実施形態では、統計対象Ｇｒ、比較対象Ｇｒ、担当者、比較担当者、統計単位期間、評価視点、統計対象画像及び表示形態に関する項目は、プルダウン形式で入力される。統計開始〜統計終了までの期間はテキスト形式で入力される。選択期間は、入力された統計開始〜統計終了までの期間を入力された統計単位期間毎に選択する形式で入力される。
【０２０５】
統計条件のプルダウンメニューについて説明する。統計対象Ｇｒ又は比較対象Ｇｒの項目が選択されると、「０歳児」、「１歳児」、「２歳児」、「３歳児」、「３歳児Ａ」、「３歳児Ｂ」、「４歳児Ａ」、「４歳児Ｂ」、「５歳児Ａ」、「５歳児Ｂ」、「４歳児」、「５歳児」、「３歳児未満」、「３歳児以上」、「異年齢」のプルダウンメニューが表示される。ここで、「３歳児Ａ」、「３歳児Ｂ」等の「Ａ」及び「Ｂ」は、クラスを示す。担当者又は比較担当者の項目が選択されると、管理サーバ５０にユーザ情報が記憶された担当者名（担当Ａ、担当Ｂ・・・等）のプルダウンメニューが表示される。統計単位期間の項目が選択されると、１週間、１ヶ月、１期、１年のプルダウンメニューが表示される。評価視点の項目が選択されると、１０の姿、５領域、３つの視点のプルダウンメニューが表示される。統計対象画像の項目が選択されると、全て、２人以上評価、３人以上評価、お便り掲載のプルダウンメニューが表示される。表示形態の項目が選択されると、円グラフ、棒グラフ、帯グラフ、レーザーチャートのプルダウンメニューが表示される。このように、統計条件は、保育画像が生成された時期（撮影時期）に関する時期条件と、保育画像における保育又は教育を受ける対象の分類に関する分類条件とを含む。この分類は、年齢やクラスに限定されず、班や部活動等であってもよい。
【０２０６】
Ｓ１８０４で、管理者端末装置１０ｃは、統計条件の入力を受け付け、入力された統計条件を管理サーバ５０に送信する。管理サーバ５０は、統計条件を受け付けたことに応答して、見解情報の集計結果を生成する処理を起動する。Ｓ１８０５で、管理サーバ５０は、統計条件を記憶する。Ｓ１８０６で、統計条件において統計単位期間が入力されたかどうかを判定する。入力されたと判定された場合（Ｓ１８０６のＹ）、本処理はＳ１８０７に進む。入力されていないと判定された場合（Ｓ１８０６のＮ）、本処理はＳ１８０９に進む。
【０２０７】
Ｓ１８０７で、管理サーバ５０は、統計期間が指定されているかどうかを判定する。ここでは、統計開始及び統計終了の少なくとも一方に入力がなされている場合に、統計期間が指定されていると判定する。一方で、統計開始及び統計終了の両方に入力がなされていない場合に、統計期間が指定されていないと判定する。統計期間が指定されていると判定された場合（Ｓ１８０７のＹ）、本処理はＳ１８０８に進む。統計期間が指定されていないと判定された場合（Ｓ１８０７のＮ）、本処理はＳ１８０９に進む。
【０２０８】
Ｓ１８０８で、管理サーバ５０は、統計選択メニュー画面中の選択期間を表示内容を生成するための演算を実行する。ここでは、統計条件における統計単位期間、統計開始、統計終了の入力内容に基づいて、選択期間が演算される。Ｓ１８０９で、管理サーバ５０は、入力した統計条件を統計条件画面に反映させるための統計条件識別情報を生成し、管理者端末装置１０ｃに送信する。ここでは、本処理がＳ１８０８からＳ１８０９に移行した場合、その演算結果（生成した選択期間）を反映させるように統計条件識別情報を生成する。Ｓ１８１０で、管理者端末装置１０ｃは、統計条件識別情報に基づいて、入力した統計条件を反映させるように統計選択メニュー画面を変更する。図５１の例では、統計対象Ｇｒの項目に５歳児Ａ、統計単位期間の項目に１ヶ月、統計開始に２０１９年４月、統計開始に２０２０年３月、評価視点に１０の姿、統計対象画像に２人以上、表示形態に円グラフと入力される。また、選択期間は、２０１９年４月から２０２０年３月までを１月毎に示し、その中で２０１９年６月、１０月、２０２０年３月が選択されたことを示すように強調表示される。
【０２０９】
Ｓ１８１１で、管理者端末装置１０ｃは、統計条件の入力を完了したかどうかを判定する。ここでは、統計選択メニュー画面中の決定ボタンが選択された場合に、統計条件の入力を完了したと判定される。一方で、統計選択メニュー画面中の項目の選択入力があった場合には、統計条件の入力を完了していないと判定される。統計条件の入力を完了したと判定された場合（Ｓ１８１１のＹ）、統計条件完了情報を管理サーバ５０に送信し、本処理はＳ１８１２に進む。統計条件の入力を完了していないと判定された場合（Ｓ１８１１のＮ）、本処理はＳ１８０４に戻る。
【０２１０】
Ｓ１８１２で、管理サーバ５０は、統計条件完了情報に応答して、統計条件に該当する各保育画像に対応付けられた見解情報を評価項目毎に積算する。具体的には、管理サーバ５０は、統計条件に該当する各保育画像について、その評価項目毎に見解情報において肯定的な評価が得られた回数の積算値を演算する。統計条件において選択期間が指定されている場合には、その選択期間毎に積算値が積算される。
【０２１１】
Ｓ１８１３で、管理サーバ５０は、Ｓ１８１２で演算した積算値を統計条件に合わせた表示形態でグラフ化した集計結果を含む統計結果画面を表示するための統計結果表示情報を生成し、管理者端末装置１０ｃに送信する。統計条件において選択期間が指定されている場合には、統計結果表示情報においてその選択期間毎に積算値がグラフ化される。
【０２１２】
Ｓ１８１４で、管理者端末装置１０ｃは、統計結果表示情報に基づいて、図５２の統計結果画面を表示する。図５２の統計結果画面では、５歳児Ａ組、２０１９年度「１０の姿」の推移について、６月、１０月、３月の「１０の姿」に各評価項目についての見解の積算値の割合を示す円グラフが示される。ここで、年度初めの６月と年度末の３月では、園児の成長度合いが異なる。例えば、年度初めの６月よりも年度末の３月のほうがより高度なことを行うことができる。月毎に見解情報の積算値を割合表示することにより、見解情報の積算値の割合の変化を視覚化できるため、園児の成長の傾向や全体の保育の傾向を分析することが可能となる。
【０２１３】
Ｓ１８１５で、管理者端末装置１０ｃは、統計結果画面の表示を終了する。ここでは、統計結果画面中の終了ボタンが選択された場合に、この表示を終了する。Ｓ１８１６〜Ｓ１８１８は、上述のＳ１２３〜Ｓ１２５と同様であるため、その説明を省略する。Ｓ１８１８の後、本処理は終了し、処理Ｓ２はＳ６１に進む。
【０２１４】
本実施形態では、年齢等や撮影時期等を統計条件として用いて集計結果を生成したが、これに限定されない。例えば、場面（遊び、生活、行事など）や地域等を統計条件としてもよい。
【０２１５】
（管理者研修モードの処理）
図３８を用いて、Ｓ６２の管理者研修モードにおける管理者端末装置１０の処理及び管理者端末装置１０が管理サーバ５０に実行させる処理の流れについて説明する。管理者研修モードは、上述の園内研修において管理者端末装置１０ｃによって利用されるモードである。Ｓ８０１ｃ〜Ｓ８１４ｃは、基本的には上述のＳ５０１〜Ｓ５１４と同様であるため、Ｓ５０１〜Ｓ５１４と重複する説明を適宜省略して説明する。Ｓ８０１ｃで、管理者端末装置１０ｃは、ユーザ情報と管理者研修モード実行指示とを管理サーバ５０に送信する。
【０２１６】
Ｓ８１３ｃで、管理サーバ５０は、選択された保育画像についての管理者研修画面を表示するための管理者研修画面表示情報を生成し、管理者端末装置１０ｃに送信する。この管理者研修画面表示情報では、他の端末装置１０の見解入力（例えば担当者端末装置１０ａによるＳ８１４ａでの見解入力）に同期して、その内容が変化する。すなわち、見解入力の変更に応答して、評価項目の積算値がリアルタイムで増減する。Ｓ８１４ｃで、管理者端末装置１０ｃは、管理者研修画面表示情報に基づいて、管理者研修画面を表示する。本実施形態の管理者研修画面は、Ｓ８１２ｃで選択された保育画像と、その保育画像についての対応付け情報と、各見解入力項目と、自由コメント欄と、完了ボタンと、を含む。対応付け情報における複数の見解情報は、統合されることにより統合情報として示される。本実施形態の管理者研修モードの統合情報は、図３５のような担当者毎の見解情報を統合した結果を示す。
【０２１７】
Ｓ８１５ｃで、管理者端末装置１０ｃは、見解を入力したかどうかを判定する。見解を入力したと判定された場合（Ｓ８１５ｃのＹ）、Ｓ８１６ｃに進む。見解を入力していないと判定された場合、本処理はＳ８１８ｃに進む。Ｓ８１６ｃ〜Ｓ８１７ｃは、基本的には上述のＳ５１６〜Ｓ５１７と同様であるため、Ｓ５１６〜Ｓ５１７と重複する説明を適宜省略して説明する。Ｓ８１７ｃの後、本処理はＳ８１３ｃに戻る。
【０２１８】
Ｓ８１８ｃで、管理者端末装置１０ｃは、他の保育画像を選択するかどうかを判定する。ここでは、管理者研修画面中の画像選択ボタンが選択された場合に、他の保育画像を選択すると判定される。一方で、管理者研修画面中の完了ボタンが選択された場合に、他の保育画像を選択しないと判定される。他の保育画像を選択すると判定された場合（Ｓ８１８ｃのＹ）、本処理はＳ８０６ｃに戻る。他の保育画像を選択しないと判定された場合（Ｓ８１８ｃのＮ）、本処理はＳ８１９ｃに進む。Ｓ８１９ｃ〜Ｓ８２２ｃは、上述のＳ１７３３〜Ｓ１７３６と同様であるため、その説明を省略する。Ｓ８２２ｃの後、本処理は終了し、処理Ｓ２はＳ６３に進む。
【０２１９】
（指導者端末装置の処理）
次に、図５３を用いて、指導者端末装置１０ｄの処理Ｓ３について説明する。Ｓ７１は、基本的には上述のＳ４１と同様であるため、Ｓ４１と重複する説明を適宜省略して説明する。Ｓ７１では、指導者端末装置１０ｄのモード選択画面には、指導要請確認モード、応答閲覧モード、指導者閲覧入力モード、及び終了モードが表示される。指導要請確認モード及び応答閲覧モードは、各々の報知を受けた場合のみに選択可能になってもよい。
【０２２０】
Ｓ７２で、指導者端末装置１０ｄは、指導要請報知を受けたかどうかを判定する。指導要請報知を受けた場合（Ｓ７２のＹ）、処理Ｓ３はＳ７３に進む。指導要請報知を受けていない場合（Ｓ７２のＮ）、処理Ｓ３はＳ７５に進む。
【０２２１】
Ｓ７３で、指導者端末装置１０ｄは、実行モードが指導要請確認モードであるかどうかを判定する。指導要請確認モードである場合（Ｓ７３のＹ）、処理Ｓ３はＳ７４に進む。指導要請確認モードではない場合（Ｓ７３のＮ）、処理Ｓ３はＳ７５に進む。Ｓ７４で、指導者端末装置１０ｄは、指導要請確認モードの処理を実行する。指導要請確認モードの処理の詳細については後述する。その後、処理Ｓ３はＳ７５に進む。
【０２２２】
Ｓ７５で、指導者端末装置１０ｄは、応答コメント報知を受けたかどうかを判定する。応答コメント報知を受けた場合（Ｓ７５のＹ）、処理Ｓ３はＳ７６に進む。応答コメント報知を受けていない場合（Ｓ７５のＮ）、処理Ｓ３はＳ７８に進む。
【０２２３】
Ｓ７６で、指導者端末装置１０ｄは、実行モードが応答閲覧モードであるかどうかを判定する。応答閲覧モードである場合（Ｓ７６のＹ）、処理Ｓ３はＳ７７に進む。応答閲覧モードではない場合（Ｓ７６のＮ）、処理Ｓ３はＳ７８に進む。Ｓ７７で、指導者端末装置１０ｄは、応答閲覧モードの処理を実行する。応答閲覧モードの処理の詳細については後述する。その後、処理Ｓ３はＳ７８に進む。
【０２２４】
Ｓ７８で、指導者端末装置１０ｄは、実行モードが指導者閲覧入力モードであるかどうかを判定する。指導者閲覧入力モードである場合（Ｓ７８のＹ）、処理Ｓ３はＳ７９に進む。指導者閲覧入力モードではない場合（Ｓ７８のＮ）、処理Ｓ３は終了する。Ｓ７９で、管理者端末装置１０ｃは、指導者閲覧入力モードの処理を実行する。指導者閲覧入力モードの処理の詳細については後述する。その後、処理Ｓ３はＳ８０に進む。
【０２２５】
Ｓ８０で、指導者端末装置１０ｄは、実行モードが終了モードであるかどうかを判定する。終了モードである場合（Ｓ８０のＹ）、処理Ｓ３は終了する。終了モードではない場合（Ｓ８０のＮ）、処理Ｓ３はＳ７２に戻る。
【０２２６】
（指導要請確認モードの処理）
図５４を用いて、Ｓ７４の指導要請確認モードにおける指導者端末装置１０ｄの処理及び指導者端末装置１０ｄが管理サーバ５０に実行させる処理の流れについて説明する。指導要請確認モードは、指導要請を受けたときにその応答をするためのモードである。Ｓ１９０１で、指導者端末装置１０は、指導要請確認モード実行指示を管理サーバ５０に送信する。Ｓ１９０２で、管理サーバ５０は、指導要請確認モード実行指示に応答して、指導要請確認画面を表示するための指導要請確認画面表示情報を生成し、指導者端末装置１０ｄに送信する。Ｓ１９０３で、指導者端末装置１０ｄは、指導要請確認画面表示情報に基づいて、指導要請確認画面を表示する。指導要請確認画面は、指導要請の対象の保育画像と、指導要請コメントと、指導コメント欄と、共有化推薦ボタンと、完了ボタンと、を含む。指導コメント欄は、指導要請を受けた指導者が指導内容や印象等のコメントを記入する欄である。
【０２２７】
Ｓ１９０４〜Ｓ１９０８は、基本的には上述のＳ４１９〜Ｓ４２３と同様であるため、Ｓ４１９〜Ｓ４２３と重複する説明を適宜省略して説明する。Ｓ１９０４〜Ｓ１９０８では、指導者による指導コメントが入力される。Ｓ１９０８で、コメントの入力が完了したと判定された場合、指導者端末装置１０ｄが指導コメント完了情報を管理サーバ５０に送信し、管理サーバ５０に指導コメントが発生した旨を報知させる（以下、指導コメント発生報知という）。指導コメント発生報知は、管理者端末装置１０ｃに送信される。
【０２２８】
Ｓ１９０９で、指導者端末装置１０ｄは、指導要請の対象の保育画像に関する対応付け情報の一部の共有化を推薦するかどうかを判定する。ここでは、指導要請確認画面中の共有化推薦ボタンが選択された場合に、共有化を推薦すると判定される。一方で、指導要請確認画面中の完了ボタンが選択された場合に、共有化を推薦しないと判定される。共有化を推薦すると判定された場合（Ｓ１９０９のＹ）、管理者端末装置１０ｃはその対応付け情報の一部の共有化を推薦するための共有化推薦指示を管理サーバ５０に送信し、本処理はＳ１９１０に進む。共有化を推薦しないと判定された場合（Ｓ１９０９のＮ）、管理者端末装置１０ｃは、共有非推薦指示を管理サーバ５０に送信し、本処理はＳ１９１１に進む。
【０２２９】
Ｓ１９１０で、管理サーバ５０は、共有化を推薦した旨を報知する（以下、共有推薦報知という）。共有推薦報知は、管理者端末装置１０ｃに送信される。Ｓ１９１１で、管理サーバ５０は、その指導要請について管理者端末装置１０ｃからの応答コメントがあるかどうかを判定する。応答コメントがあると判定された場合（Ｓ１９１１のＹ）、応答コメント存在情報を指導者端末装置１０ｄに送信し、本処理はＳ１９１２に進む。応答コメントがないと判定された場合（Ｓ１９１１のＮ）、本処理はＳ１９１３に進む。
【０２３０】
Ｓ１９１２で、指導者端末装置１０ｄは、応答コメント存在情報に応答して、指導を継続するかどうかを判定する。ここでは、指導を継続する旨の選択肢と指導を継続しない旨の選択肢が表示され、その選択肢に対するユーザ入力に基づいて指導を継続するかどうかが判定される。指導を継続すると判定された場合（Ｓ１９１２のＹ）、本処理はＳ１９０２に戻る。指導を継続しないと判定された場合（Ｓ１９１２のＮ）、指導者端末装置１０ｄは指導非継続情報を管理サーバ５０に送信し、本処理はＳ１９１３に進む。Ｓ１９１３〜Ｓ１９１５は、上述のＳ１２３〜Ｓ１２５と同様であるため、その説明を省略する。Ｓ１９１５の後、本処理は終了し、処理Ｓ３はＳ７５に進む。なお、本実施形態では、共有化推薦報知は指導者端末装置１０ｄのみが行うが、担当者端末装置１０ａ及び同僚端末装置１０ｂで行うようにしてもよい。
【０２３１】
（応答閲覧モードの処理）
図５５を用いて、Ｓ７７の応答閲覧モードにおける指導者端末装置１０ｄの処理及び指導者端末装置１０ｄが管理サーバ５０に実行させる処理の流れについて説明する。応答閲覧モードは、指導要請について管理者端末装置１０ｃから応答コメントを受けたときにその応答をするためのモードである。Ｓ２００１〜Ｓ２００８は、基本的には上述のＳ１９０１〜Ｓ１９０８と同様であるため、Ｓ１９０１〜Ｓ１９０８と重複する説明を適宜省略して説明する。Ｓ２００１で、指導者端末装置１０ｄは、応答閲覧モード実行指示を管理サーバ５０に送信する。Ｓ２００２では、再指導要請画面を表示するための再指導要請画面表示情報が生成され、Ｓ２００３で再指導要請画面が表示される。再指導要請画面は、応答コメントに関する保育画像と、応答コメントと、再指導コメント欄と、完了ボタンとを含む。Ｓ２００４〜Ｓ２００７では、再指導コメントが入力される。
【０２３２】
Ｓ２００８で、再指導コメントの入力が完了したと判定された場合、再指導コメント完了情報を管理サーバ５０に送信し、本処理はＳ２００９に進む。Ｓ２００９で、管理サーバ５０は、再指導コメント完了情報に応答して、再指導コメントが発生した旨を報知する（以下、再指導コメント発生報知という）。再指導コメント発生報知は、管理者端末装置１０ｃに送信される。Ｓ２０１０〜Ｓ２０１４は、上述のＳ１９１１〜Ｓ１９１５と同様であるため、その説明を省略する。Ｓ２０１４の後、本処理は終了し、処理Ｓ３はＳ７８に進む。
【０２３３】
（指導者閲覧入力モードの処理）
図５６を用いて、Ｓ７９の指導者閲覧入力モードにおける指導者端末装置１０ｄの処理及び指導者端末装置１０ｄが管理サーバ５０に実行させる処理の流れについて説明する。管理者閲覧入力モードは、指導者端末装置１０ｄにおいて、管理サーバ５０に記憶した保育画像を検索して、その保育画像についての対応付け情報を自由に閲覧可能にするモードである。Ｓ２１０１〜Ｓ２１２６は、基本的には上述のＳ５０１〜Ｓ５２６と同様であるため、Ｓ５０１〜Ｓ５２６と重複する説明を適宜省略して説明する。Ｓ２１０１で、指導者端末装置１０ｄは、ユーザ情報と指導者閲覧入力モード実行指示とを管理サーバ５０に送信する。
【０２３４】
Ｓ２１１３で、管理サーバ５０は、Ｓ２１１２で選択された保育画像についての指導者閲覧入力画面を表示するための指導者閲覧入力画面表示情報を生成し、指導者端末装置１０ｄに送信する。Ｓ２１１４で、指導者端末装置１０ｄは、指導者閲覧入力画面表示情報に基づいて、指導者閲覧入力画面を表示する。指導者閲覧入力画面は、選択された保育画像と、その保育画像についての対応付け情報と、見解入力項目と、指導コメント欄と、を含む。
【０２３５】
Ｓ２１２０で、見解入力が完了したと判定された場合、本処理はＳ２１２１に進むとともに、指導者端末装置１０ｄは見解入力完了情報を管理サーバ５０に送信し、管理サーバ０に指導者端末装置１０ｄの見解の入力が完了した旨を報知させる（以下、指導者見解入力完了報知という）。指導者見解入力完了報知は、担当者端末装置１０ａ及び管理者端末装置１０ｃに送信される。
【０２３６】
Ｓ２１２１〜Ｓ２１２６では、指導者による指導コメントが入力される。Ｓ２１２６で指導コメントの入力が完了したと判定された場合、本処理はＳ２１２７に進む。Ｓ２１２７で、管理サーバ５０は、指導コメントが発生した旨を報知する（以下、指導コメント発生報知という）。指導コメント発生報知は、担当者端末装置１０ａ及び管理者端末装置１０ｃに送信される。
【０２３７】
Ｓ２１２８〜Ｓ２１２９は、基本的には上述のＳ１９０９〜Ｓ１９１０と同様であるため、Ｓ１９０９〜Ｓ１９１０と重複する説明を適宜省略して説明する。Ｓ２１２８で共有化を推薦しないと判定された場合、及びＳ２１２９の後、本処理はＳ２１３０に進む。なお、上述のＳ１９１０のような共有非推薦指示は管理サーバ５０に送信されなくてもよい。
【０２３８】
Ｓ２１３０は、基本的には上述のＳ１９１２と同様であるため、Ｓ１９１３と重複する説明を適宜省略して説明する。Ｓ２１２９の後、本処理はＳ２１３０に進む。なお、Ｓ１９１２のような指導非継続情報は管理サーバ５０に送信されなくてもよい。Ｓ２１３１〜Ｓ２１３４は、上述のＳ１７３３〜Ｓ１７３６と同様であるため、その説明を省略する。Ｓ２１３４の後、本処理は終了し、Ｓ３はＳ８０に進む。
【０２３９】
（外部端末装置の処理）
図５７を用いて、外部端末装置１０ｅの共有閲覧モードにおける外部端末装置１０ｅの処理及び外部端末装置１０ｅが管理サーバ５０に実行させる処理の流れについて説明する。共有閲覧モードは、共有サーバ５５に記憶された共有情報を自由に閲覧するモードである。Ｓ２２０１〜Ｓ２２１３、管理者端末装置１０ｃと管理サーバ５０との間ではなく外部端末装置１０ｅと共有サーバ５５との間で情報をやり取りする点を除き、基本的には上述のＳ１７０１〜Ｓ１７０８、Ｓ１７１０〜Ｓ１７１４と同様であるため、Ｓ１７０１〜Ｓ１７０８、Ｓ１７１０〜Ｓ１７１４と重複する説明を適宜省略して説明する。Ｓ２２０１で、外部端末装置１０ｅは、共有閲覧モード実行指示を共有サーバ５５に送信する。Ｓ２２０２で、共有サーバ５５は、共有検索メニュー画面を表示するための共有検索メニュー画面表示情報を外部端末装置１０ｅに送信する。
【０２４０】
Ｓ２２０３で、外部端末装置１０ｅは、共有検索メニュー画面表示情報に基づいて図５８の共有検索メニュー画面を表示する。図５８の共有検索メニュー画面は、年齢、場面、季節、幼児期の終わりまでに育ってほしい１０の姿、５領域、３つの視点に関する検索項目と、検索ボタンとを含む。本実施形態では、これらの検索項目は、プルダウン形式で入力される。
【０２４１】
共有検索メニュー画面の検索項目のプルダウンメニューについて説明する。「年齢」の検索項目が選択されると、「０歳児」、「１歳児」、「２歳児」、「３歳児未満」、「３歳児以上」、「異年齢」のプルダウンメニューが表示される。「場面」の検索項目が選択されると、「遊び」、「生活」、「行事」、「その他」のプルダウンメニューが表示される。「季節」の検索項目が選択されると、「春」、「梅雨」、「夏」、「秋」、「冬」のプルダウンメニューが表示される。「幼児期の終わりまでに育ってほしい１０の姿」の検索項目が選択されると、「健康な心と体」、「自立心」、「協調性、「道徳性・規範意識の芽生え」、「社会生活との関わり」、「思考力の芽生え」、「自然との関わり・生命の尊重」、「数量・図形・文字等への関心・感覚」、「言葉による伝え合い」及び「豊かな感性と表現」のプルダウンメニューが表示される。「５領域」の検索項目が選択されると、「健康」、「人間関係」、「環境」、「言葉」、「表現」のプルダウンメニューが表示される。「３つの視点」の検索項目が選択されると、「身体的発達」、「社会的発達」、「精神的発達」のプルダウンメニューが表示される。
【０２４２】
Ｓ２２１１で保育画像の選択が完了したと判定された場合、Ｓ２２１２で、共有サーバ５５は、選択された保育画像とその保育画像に関する共有情報とを含む共有閲覧画面を表示するための共有閲覧画面表示情報を生成し、外部端末装置１０ｅに送信する。Ｓ２２１３で、外部端末装置１０ｅは、共有閲覧画面表示情報に基づいて、図５９の共有閲覧画面を表示する。図５９の共有閲覧画面は、選択された保育画像と、そのタイトル（シャボン玉遊び）、年齢、場面、季節、提供、お便りコメント、１０の姿、５領域、３つの視点に関する項目と、完了ボタンと、画像選択ボタンとを含む。図５９では、年齢が５歳児、場面が遊び、季節が夏、提供がＡＡ保育園で示される。上述した１０の姿、５領域、３つの視点は、管理者端末装置１０ｃで選択された見解情報を含む。図５９では、１０の姿として、「協調性」、思考力の芽生え、豊かな感性と表現が見解情報として示され、５領域として人間関係が見解情報として示される。
【０２４３】
Ｓ２２１４で、外部端末装置１０ｅは、他の保育画像を選択するかどうかを判定する。ここでは、共有閲覧画面中の画像選択ボタンが選択された場合に、他の保育画像を選択すると判定される。一方で、共有閲覧画面中の完了ボタンが選択された場合に、他の保育画像を選択しないと判定される。他の保育画像を選択すると判定された場合（Ｓ２２１４のＹ）、本処理はＳ２２０６に戻る。他の保育画像を選択しないと判定された場合（Ｓ２２１４のＮ）、本処理はＳ２２１５に進む。
【０２４４】
Ｓ２２１５で、外部端末装置１０ｅは、保育画像を再検索するかどうかを判定する。ここでは、再検索する旨の選択肢と再検索しない旨の選択肢が表示され、その選択肢に対するユーザ入力に基づいて再検索するかどうかが判定される。再検索すると判定された場合（Ｓ２２１５のＹ）、本処理はＳ２２０２に戻る。再検索しないと判定された場合（Ｓ２２１５のＮ）、本処理は終了する。
【０２４５】
外部端末装置１０ｅの共有閲覧モードにおける処理によると、外部端末装置１０ｅは、保育画像が生成された時期（撮影時期）、保育画像における保育等を受ける対象（園児等）の分類（年齢、クラス、班等）、及び保育画像についての「保育指針等に於ける発達の視点」に基づく評価項目に対する見解を検索条件として、共有サーバ５５から保育画像と保育画像についての共有情報を検索することが可能となる。
【符号の説明】
【０２４６】
１０  端末装置、  ２１  端末側生成部、  ２２  端末側受信部、  ２３  端末側送信部、  ２４  ユーザ入力受付部、  ２５  出力部、  ２６  モード処理実行部、  ２７  端末側記憶部、  ５０  管理サーバ、  ５５  共有サーバ、  ６１  サーバ側生成部、  ６２  サーバ側受信部、  ６３  サーバ側送信部、  ６４  サーバ側記憶部、  ６５  統計処理部、  ７０  プリンタ。
【要約】      （修正有）【課題】保育等に対する評価能力を向上させるための手法端末装置、サーバ、方法及びプログラムを提供する。【解決手段】システムにおいて、端末装置１０は、場面情報と場面情報についての見解を示す見解情報とを生成する端末側生成部２１と、統合情報を担当者に提示する出力部２５とを備え、サーバに場面情報及び見解情報を対応付けて記憶させ、サーバが担当者以外の者によって利用される他の端末装置からその記憶された場面情報について見解情報を受信した場合、受信した見解情報はサーバによってその記憶された場面情報にさらに対応付けられて記憶される。統合情報は、サーバが場面情報に対応付けられた複数の見解情報を統合することにより得られる。見解情報は、保育指針等に於ける発達の視点に基づいて定められた複数の項目の内容についての評価結果を見解として含む。【選択図】図３【図１】
0006931896.tif 000002
【図２】
0006931896.tif 000003
【図３】
0006931896.tif 000004
【図４】
0006931896.tif 000005
【図５】
0006931896.tif 000006
【図６】
0006931896.tif 000007
【図７】
0006931896.tif 000008
【図８】
0006931896.tif 000009
【図９】
0006931896.tif 000010
【図１０】
0006931896.tif 000011
【図１１】
0006931896.tif 000012
【図１２】
0006931896.tif 000013
【図１３】
0006931896.tif 000014
【図１４】
0006931896.tif 000015
【図１５】
0006931896.tif 000016
【図１６】
0006931896.tif 000017
【図１７】
0006931896.tif 000018
【図１８】
0006931896.tif 000019
【図１９】
0006931896.tif 000020
【図２０】
0006931896.tif 000021
【図２１】
0006931896.tif 000022
【図２２】
0006931896.tif 000023
【図２３】
0006931896.tif 000024
【図２４】
0006931896.tif 000025
【図２５】
0006931896.tif 000026
【図２６】
0006931896.tif 000027
【図２７】
0006931896.tif 000028
【図２８】
0006931896.tif 000029
【図２９】
0006931896.tif 000030
【図３０】
0006931896.tif 000031
【図３１】
0006931896.tif 000032
【図３２】
0006931896.tif 000033
【図３３】
0006931896.tif 000034
【図３４】
0006931896.tif 000035
【図３５】
0006931896.tif 000036
【図３６】
0006931896.tif 000037
【図３７】
0006931896.tif 000038
【図３８】
0006931896.tif 000039
【図３９】
0006931896.tif 000040
【図４０】
0006931896.tif 000041
【図４１】
0006931896.tif 000042
【図４２】
0006931896.tif 000043
【図４３】
0006931896.tif 000044
【図４４】
0006931896.tif 000045
【図４５】
0006931896.tif 000046
【図４６】
0006931896.tif 000047
【図４７】
0006931896.tif 000048
【図４８】
0006931896.tif 000049
【図４９】
0006931896.tif 000050
【図５０】
0006931896.tif 000051
【図５１】
0006931896.tif 000052
【図５２】
0006931896.tif 000053
【図５３】
0006931896.tif 000054
【図５４】
0006931896.tif 000055
【図５５】
0006931896.tif 000056
【図５６】
0006931896.tif 000057
【図５７】
0006931896.tif 000058
【図５８】
0006931896.tif 000059
【図５９】
0006931896.tif 000060